(57)【要約】表示装置１Ａは、観察者５０の正面に配置されるフロント部１１、フロント部の両端から延びるテンプル部１２、及び、パッド部１７を備え、観察者５０の頭部に装着されるフレーム１０、並びに、フレーム１０に取り付けられた画像表示装置を備えており、画像表示装置は、画像形成装置３０、及び、画像形成装置３０から出射された光が入射され、観察者に向かって出射する光学装置４０を備えており、光学装置の一端部４０Ａはフロント部１１のテンプル部側に固定されており、光学装置の他端部４０Ｂは、フロント部１１のパッド部側に配置されており、光学装置の他端部４０Ｂの上方から光学装置の他端部４０Ｂへの外光の入射を防ぐ遮光部材６０が、フロント部１１のパッド部側に取り付けられている。
2019220931.tif 000002
【特許請求の範囲】
【請求項１】
観察者の正面に配置されるフロント部、フロント部の両端から延びるテンプル部、及び、パッド部を備え、観察者の頭部に装着されるフレーム、並びに、
フレームに取り付けられた画像表示装置、
を備えた表示装置であって、
画像表示装置は、
画像形成装置、及び、
画像形成装置から出射された光が入射され、観察者に向かって出射する光学装置、
を備えており、
光学装置の一端部は、フロント部のテンプル部側に固定されており、
光学装置の他端部は、フロント部のパッド部側に配置されており、
光学装置の他端部の上方から光学装置の他端部への外光の入射を防ぐ遮光部材が、フロント部のパッド部側に取り付けられている表示装置。
【請求項２】
光学装置の他端部は、観察者と対向する遮光部材の対向面の上を自在に滑動する請求項１に記載の表示装置。
【請求項３】
光学装置の一端部は、フロント部のテンプル部側に配設された画像形成装置に取り付けられている請求項１に記載の表示装置。
【請求項４】
光学装置は、
画像形成装置から入射された光が内部を全反射により伝播した後、観察者に向けて出射される導光板、
導光板に入射された光が導光板の内部で全反射されるように、導光板に入射された光を偏向させる第１偏向手段、及び、
導光板の内部を全反射により伝播した光を導光板から出射させるために、導光板の内部を全反射により伝播した光を偏向させる第２偏向手段、
を備えている請求項１に記載の表示装置。
【請求項５】
画像形成装置は、フロント部のテンプル部側に取り付けられている請求項１に記載の表示装置。
【請求項６】
光学装置は、更に、外部から入射する外光の光量を調整する調光装置を備えている請求項１に記載の表示装置。
【請求項７】
観察者の正面に配置されるフロント部、フロント部の両端から延びるテンプル部、及び、パッド部を備え、観察者の頭部に装着されるフレーム、並びに、
フレームに取り付けられた画像表示装置、
を備えた表示装置であって、
画像表示装置は、
画像形成装置、及び、
画像形成装置から出射された光が入射され、観察者に向かって出射する光学装置、
を備えており、
光学装置の一端部は、フロント部のテンプル部側に固定されており、
光学装置の他端部は、フロント部のパッド部側に配置され、フロント部において自在に滑動する表示装置。
【請求項８】
フロント部のパッド部側には、光学装置受け部材が取り付けられており、
光学装置の他端部は、光学装置受け部材の上を自在に滑動する請求項７に記載の表示装置。
【請求項９】
光学装置受け部材は、仮想水平面で切断したときの断面形状がＬ字の部材から成り、
Ｌ字の縦棒の部分に相当する光学装置受け部材の第１の部分は、観察者と対向して垂直方向に延びており、
観察者から遠い方の光学装置受け部材の第１の部分の端部から延びるＬ字の横棒の部分に相当する光学装置受け部材の第２の部分は、フロント部のテンプル部側に向かって延びており、
光学装置の他端部は、光学装置受け部材の第２の部分の観察者と対向する対向面の上を自在に滑動する請求項８に記載の表示装置。
【請求項１０】
光学装置の一端部は、フロント部のテンプル部側に配設された画像形成装置に取り付けられている請求項７に記載の表示装置。
【請求項１１】
光学装置は、
画像形成装置から入射された光が内部を全反射により伝播した後、観察者に向けて出射される導光板、
導光板に入射された光が導光板の内部で全反射されるように、導光板に入射された光を偏向させる第１偏向手段、及び、
導光板の内部を全反射により伝播した光を導光板から出射させるために、導光板の内部を全反射により伝播した光を偏向させる第２偏向手段、
を備えている請求項７に記載の表示装置。
【請求項１２】
画像形成装置は、フロント部のテンプル部側に取り付けられている請求項７に記載の表示装置。
【請求項１３】
光学装置は、更に、外部から入射する外光の光量を調整する調光装置を備えている請求項７に記載の表示装置。
【発明の詳細な説明】
【技術分野】
【０００１】
本開示は、表示装置に関し、より具体的には、頭部装着型ディスプレイ（ＨＭＤ，Head Mounted Display）に用いられる表示装置に関する。
【背景技術】
【０００２】
近年、現実の環境（あるいはその一部）に付加情報としてバーチャルな物体や各種情報を電子情報として合成・提示する拡張現実技術（ＡＲ技術：Augmented Reality）が、注目を浴びている。この拡張現実技術を実現するために、視覚情報を提示する装置として、例えば、頭部装着型ディスプレイが検討されている。そして、応用分野として、現実の環境における作業支援が期待されており、例えば、道路案内情報の提供、メンテナンス等を行う技術者に対する技術情報提供等を挙げることができる。特に、頭部装着型ディスプレイは、手がふさがられることがないため、非常に便利である。また、屋外を移動しながら各種情報等を得る場合にも、視界に映像あるいは画像から構成された各種情報等と外部環境とを同時に捉えることができるため、スムーズな移動が可能となる。【０００３】
画像形成装置によって形成された２次元画像を虚像光学系により拡大虚像として観察者に観察させるための虚像表示装置（表示装置）が、例えば、特開２０１４−２１９４６８号公報から周知である。【０００４】
特開２０１４−２１９４６８号公報に開示された虚像表示装置において、導光装置（光学部材）２０の周囲部分のうち、フレーム１０７に近い上辺側には、フレーム１０７の下面に設けられた制限部１０７ｎに嵌め込まれるリブ１０ｎが形成されており、このリブ１０ｎの存在により、導光装置２０の奥行き方向（Ｚ方向）に関する変位が制限される（特開２０１４−２１９４６８号公報の段落番号［００４６］参照）。そして、導光装置２０は、フレーム１０７のネック部に形成された突起状の取付部１０ｇを利用して、フレーム１０７の側方端部６５ａに設けた第２固定部６１ｅに直接固定されており、ネジ孔６１ｕを介してネジ６１ｖをネジ孔１０ｕにねじ込むことでフレーム１０７に対して着脱可能に固定される（特開２０１４−２１９４６８号公報の段落番号［００４７］参照）。また、フレーム１０７及びプロテクター１０８が、第１及び第２像形成本体部１０５ａ，１０５ｂに連結された根元側を除いた導光装置２０の長円状の周囲部分と離間するか又は緩く接しており、導光装置２０と、フレーム１０７及びプロテクター１０８を含む枠部１０２との間に熱膨張率の差があっても、枠部１０２内での導光装置２０の膨張が許容され、導光装置２０に歪み、変形、破損が生じることを防止できる（特開２０１４−２１９４６８号公報の段落番号［００２８］参照）。【０００５】
以上のとおり、特開２０１４−２１９４６８号公報に開示された虚像表示装置において、導光装置（光学部材）２０の周囲部分のうち、フレーム１０７に近い上辺側には、フレーム１０７の下面に設けられた制限部１０７ｎに嵌め込まれるリブ１０ｎが形成されているし、耳側の導光装置２０の部分は、ネジ６１ｖによってフレーム１０７に固定されている。また、フレーム１０７及びプロテクター１０８は、鼻側の導光装置２０の部分と離間するか又は緩く接しており、導光装置２０と、フレーム１０７及びプロテクター１０８を含む枠部１０２との間に熱膨張率の差があっても、枠部１０２内での導光装置２０の膨張が許容される。
【先行技術文献】
【特許文献】
【０００６】
【特許文献１】特開２０１４−２１９４６８号公報
【発明の概要】
【発明が解決しようとする課題】
【０００７】
ところで、上述した従来の表示装置（虚像表示装置）において、観察者に依存して、観察者が表示装置を頭部に装着したとき、テンプル部１０４が外側に広がる場合がある。その結果、このような場合、フレーム１０７の正面部１０７ａに応力が加わり、テンプル部１０４と鼻受部４０との間のフレーム１０７の正面部１０７ａの領域が歪んでしまう。フレーム１０７の正面部１０７ａのこのような領域に歪みが生じると、導光装置（光学部材）２０は、その周囲部分がフレーム１０７の下面に設けられた制限部１０７ｎに嵌め込まれているので、導光装置２０にも歪みが生じる。また、フレーム１０７及びプロテクター１０８と離間するか又は緩く接している鼻側の導光装置２０の部分が、フレーム１０７及びプロテクター１０８に強く接するようになり、導光装置２０に一層の歪みが生じる。そして、導光装置２０に歪みが生じると、観察者が観察する画像にも歪みが発生する。また、導光装置２０の鼻側端部はプロテクター１０８と接しているだけなので、観察者の頭上に太陽が位置し、太陽光が、直接、導光装置２０の鼻側の部分の端面に入射した場合、導光装置２０の内部で迷光が発生し、画像の品質低下を招くといった問題もある。【０００８】
従って、本開示の第１の目的は、太陽光が、直接、光学装置（導光装置）を照射した場合であっても、画像の品質低下が生じ難い構成、構造を有する表示装置を提供することにある。また、本開示の第２の目的は、観察者に依存して、観察者が表示装置を頭部に装着したときテンプル部が外側に広がった場合であっても、観察者が観察する画像の画質への影響が少ない構成、構造を有する表示装置を提供することにある。
【課題を解決するための手段】
【０００９】
上記の第１の目的及び第２の目的を達成するための本開示の第１の態様及び第２の態様に係る表示装置は、
観察者の正面に配置されるフロント部、フロント部の両端から延びるテンプル部、及び、パッド部を備え、観察者の頭部に装着されるフレーム、並びに、
フレームに取り付けられた画像表示装置、
を備えた表示装置であって、
画像表示装置は、
画像形成装置、及び、
画像形成装置から出射された光が入射され、観察者に向かって出射する光学装置、
を備えており、
光学装置の一端部は、フロント部のテンプル部側に固定されている。【００１０】
そして、本開示の第１の態様に係る表示装置において、光学装置の他端部は、フロント部のパッド部側に配置されており、光学装置の他端部の上方から光学装置の他端部への外光の入射を防ぐ遮光部材が、フロント部のパッド部側に取り付けられている。【００１１】
また、本開示の第２の態様に係る表示装置において、光学装置の他端部は、フロント部のパッド部側に配置され、フロント部において自在に滑動する。
【図面の簡単な説明】
【００１２】
【図１】図１Ａ及び図１Ｂは、それぞれ、実施例１の表示装置を正面から眺めた模式図、及び、側面から眺めた模式図である。
【図２】図２は、実施例１の表示装置を上方から眺めた模式図である。
【図３】図３Ａは、実施例１の表示装置に備えられた遮光部材の効果を説明するための模式図であり、図３Ｂは、従来の表示装置における問題点を説明するための模式図であり、図３Ｃは、実施例１の表示装置に備えられた導光板と遮光部材の位置関係を説明するために、これらを上方から眺めたときの模式的な断面図である。
【図４】図４は、実施例１の表示装置の変形例を正面から眺めた模式図である。
【図５】図５は、実施例２の表示装置を正面から眺めた模式図である。
【図６】図６Ａ及び図６Ｃは、観察者が実施例２の表示装置を頭部に装着したときの実施例２の表示装置を上方から眺めた図であり、図６Ｂ及び図６Ｄは、実施例２の表示装置に備えられた導光板と光学装置受け部材の位置関係を説明するために、これらを上方から眺めたときの模式的な断面図である。
【図７】図７Ａ及び図７Ｂは、従来の表示装置に備えられた導光板とリムの位置関係を説明するために、これらを上方から眺めたときの模式的な断面図である。
【図８】図８は、実施例３の表示装置を構成する画像形成装置及び光学装置の配置を模式的に示す図である。
【図９】図９Ａは、反射型の体積ホログラム回折格子膜の拡大した模式的な一部断面図であり、図９Ｂは、実施例３の表示装置の変形例を構成する画像形成装置を模式的に示す図である。
【図１０】図１０は、実施例４の表示装置を構成する画像形成装置及び光学装置の配置を模式的に示す図である。
【図１１】図１１は、実施例５の表示装置を構成する画像形成装置及び光学装置の配置を模式的に示す図である。
【図１２】図１２は、実施例５の表示装置の変形例を構成する画像形成装置及び光学装置の配置を模式的に示す図である。
【図１３】図１３Ａ及び図１３Ｂは、それぞれ、調光装置の模式的な断面図、及び、調光装置の変形例の模式的な正面図である。
【図１４】図１４Ａ及び図１４Ｂは、それぞれ、調光装置の別の変形例の模式的な断面図、及び、調光装置の別の変形例の模式的な正面図である。
【図１５】図１５は、実施例３あるいは実施例４に示した表示装置を構成する光学装置の変形例を模式的に示す図である。
【図１６】図１６は、実施例３あるいは実施例４に示した表示装置を構成する光学装置の別の変形例を模式的に示す図である。
【図１７】図１７は、実施例３あるいは実施例４に示した表示装置の更に別の変形例における光学装置の概念図である。
【図１８】図１８Ａ、図１８Ｂ、図１８Ｃ、図１８Ｄ、図１８Ｅ及び図１８Ｆは、実施例３〜実施例４の表示装置の更に別の変形例における光学装置の概念図である。
【発明を実施するための形態】
【００１３】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様〜第２の態様に係る表示装置、全般に関する説明
２．実施例１（本開示の第１の態様に係る表示装置）
３．実施例２（本開示の第２の態様に係る表示装置）
４．実施例３（実施例１〜実施例２の表示装置を構成する画像表示装置及び光学装置）
５．実施例４（実施例３の変形）
６．実施例５（実施例３〜実施例４の変形）
７．実施例６（実施例１〜実施例４の別の変形、調光装置）
８．その他
【００１４】
〈本開示の第１の態様〜第２の態様に係る表示装置、全般に関する説明〉
本開示の第１の態様に係る表示装置において、光学装置の他端部は、観察者と対向する遮光部材の対向面の上を自在に滑動する形態とすることができる。あるいは又、光学装置の他端部は、観察者と対向する遮光部材の対向面と接しない形態とすることができる。
【００１５】
本開示の第２の態様に係る表示装置において、フロント部のパッド部側には、光学装置受け部材が取り付けられており、光学装置の他端部は、光学装置受け部材の上を自在に滑動する形態とすることができる。そして、この場合、
光学装置受け部材は、仮想水平面で切断したときの断面形状がＬ字の部材から成り、
Ｌ字の縦棒の部分に相当する光学装置受け部材の第１の部分は、観察者と対向して垂直方向に延びており、
観察者から遠い方の光学装置受け部材の第１の部分の端部から延びるＬ字の横棒の部分に相当する光学装置受け部材の第２の部分は、フロント部のテンプル部側に向かって延びており、
光学装置の他端部は、光学装置受け部材の第２の部分の観察者と対向する対向面の上を自在に滑動する形態とすることができる。あるいは又、光学装置受け部材は、観察者と対向して垂直方向に延びる棒状あるいは面状の部材から成り、光学装置の他端部は、棒状あるいは面状の部材から成る光学装置受け部材の観察者と対向する対向面の上を自在に滑動する形態とすることができる。尚、「垂直方向の延びる」状態には、厳密に垂直方向の延びる状態だけでなく、若干、垂直方向からずれて延びる状態も包含される。
【００１６】
以上に説明した好ましい形態を含む本開示の第１の態様〜第２の態様に係る表示装置において、光学装置の一端部は、限定するものではないが、フロント部のテンプル部側に配設された画像形成装置に取り付けられている形態とすることができる。具体的には、例えば、光学装置の一端部を、画像形成装置に、接着剤を用いて取り付け、あるいは又、ビスを用いて取り付ければよい。
【００１７】
更には、以上に説明した好ましい形態を含む本開示の第１の態様〜第２の態様に係る表示装置において、光学装置は、
画像形成装置から入射された光が内部を全反射により伝播した後、観察者に向けて出射される導光板、
導光板に入射された光が導光板の内部で全反射されるように、導光板に入射された光を偏向させる第１偏向手段、及び、
導光板の内部を全反射により伝播した光を導光板から出射させるために、導光板の内部を全反射により伝播した光を偏向させる第２偏向手段、
を備えている形態とすることができる。尚、「全反射」という用語は、内部全反射、あるいは、導光板内部における全反射を意味する。画像形成装置から入射された光は、導光板の内部を全反射により伝播した後、観察者に向けて出射されるし、第２偏向手段によって光学装置の虚像形成領域が構成される。
【００１８】
更には、以上に説明した好ましい形態を含む本開示の第１の態様〜第２の態様に係る表示装置において、画像形成装置は、フロント部のテンプル部側に取り付けられている形態とすることができる。具体的には、画像形成装置を内部に格納した筐体を、テンプル部側のフロント部に取り付ければよいし、あるいは又、テンプル部に取り付ければよいし、テンプル部側のフロント部からテンプル部に亙り取り付ければよい。画像形成装置の取付け（筐体の取付け）は、例えば、ビスを用いる方法等、適切な方法によって行えばよい。
【００１９】
更には、以上に説明した好ましい形態を含む本開示の第１の態様〜第２の態様に係る表示装置において、光学装置は、更に、外部から入射する外光の光量を調整する調光装置を備えている形態とすることができる。調光装置に関しては、実施例６において、詳しく説明する。
【００２０】
遮光部材は、不透明な種々のプラスチック材料や金属材料、合金材料から作製すればよいし、フロント部のパッド部側への遮光部材の取付けは、接着剤を用いる方法、ビスを用いる方法等、適切な方法を採用すればよい。遮光部材は、具体的には、パッド部側のフロント部の部分に取り付けてもよいし、パッド部に取り付けてもよいし、遮光部材がフロント部と一体となった構造とすることもできるし、遮光部材がパッド部と一体となった構造とすることもできる。遮光部材がフロント部と一体となった構造や遮光部材がパッド部と一体となった構造も、「遮光部材がフロント部のパッド部側に取り付けられている」構造に包含される。導光板の上方に位置する遮光部材の部分の長さは、導光板の軸線（長手方向、水平方向であり、Ｘ軸方向に該当する）の長さの１０％乃至１００％とすることが好ましいが、これに限定するものではない。
【００２１】
光学装置受け部材は、不透明な種々のプラスチック材料や金属材料、合金材料から作製すればよいし、フロント部のパッド部側への光学装置受け部材の取付けは、接着剤を用いる方法、ビスを用いる方法等、適切な方法を採用すればよい。光学装置受け部材は、具体的には、パッド部側のフロント部の部分に取り付けてもよいし、パッド部に取り付けてもよいし、光学装置受け部材がフロント部と一体となった構造とすることもできるし、光学装置受け部材がパッド部と一体となった構造とすることもできる。導光板に対向する光学装置受け部材の部分の長さは、導光板の幅方向（高さ方向、垂直方向であり、Ｙ軸方向に該当する）の長さの２０％乃至１００％とすることが好ましいが、これに限定するものではない。
【００２２】
以上に説明した各種の好ましい形態、構成を含む本開示の第１の態様〜第２の態様に係る表示装置（以下、これらを総称して、『本開示の表示装置等』と呼ぶ場合がある）において、２つのテンプル部のそれぞれは、フロント部の両端に蝶番を介して回動自在に取り付けられた構成とすることができるし、フロント部と２つのテンプル部とが一体となった構成とすることもできる。各テンプル部の先端部には、必要に応じて、モダン部（先セル部）が取り付けられている。パッド部はフロント部に取り付けられている形態とすることもできる。本開示の表示装置等の全体を眺めたとき、フレームは、概ね通常の眼鏡やサングラスと略同じ外観である。パッド部を含むフレームを構成する材料は、金属や合金、プラスチック、これらの組合せといった、通常の眼鏡やサングラスを構成する材料と同じ材料から構成することができる。テンプル部にスピーカやヘッドホンを取り付けてもよいし、フロント部に撮像装置を取り付けてもよい。
【００２３】
以上に説明した各種好ましい形態、構成を含む本開示の表示装置等において、第１偏向手段及び第２偏向手段は、ホログラム回折格子膜から構成されている形態とすることができる。
【００２４】
第１偏向手段及び第２偏向手段がホログラム回折格子膜から構成されている場合、第１偏向手段は、導光板に入射された光を回折反射し、第２偏向手段は、導光板の内部を全反射により伝播した光を回折反射する。ホログラム回折格子膜は、反射型のホログラム回折格子膜から成る構成とすることができるし、あるいは又、透過型のホログラム回折格子膜から成る構成とすることができるし、あるいは又、一方のホログラム回折格子膜は反射型のホログラム回折格子膜から成り、他方のホログラム回折格子膜は透過型のホログラム回折格子膜から成る構成とすることができる。反射型のホログラム回折格子膜として、反射型の体積ホログラム回折格子膜を挙げることができる。反射型の体積ホログラム回折格子膜から成る第１偏向手段を、便宜上、『第１回折格子部材』と呼び、反射型の体積ホログラム回折格子膜から成る第２偏向手段を、便宜上、『第２回折格子部材』と呼ぶ場合がある。
【００２５】
あるいは又、第１偏向手段が導光板に入射された光の全てを反射する場合、第１偏向手段は、例えば、合金を含む金属から構成され、導光板に入射された光を反射させる光反射膜（一種のミラー）から構成することができる。また、第１偏向手段が導光板に入射された光の一部を反射する場合、第１偏向手段は、例えば、誘電体積層膜が多数積層された多層積層構造体、ハーフミラー、偏光ビームスプリッター、回折格子（例えば、ホログラム回折格子膜）から構成することができる。一方、第２偏向手段においては、導光板の内部を全反射により伝播した平行光が反射又は回折され、導光板から平行光の状態で出射される。第２偏向手段は、誘電体積層膜が多数積層された多層積層構造体や、ハーフミラー、偏光ビームスプリッター、ホログラム回折格子膜から構成することができる。場合によっては、第１偏向手段及び第２偏向手段の一方は、導光板の内部に配設されてもよい。
【００２６】
更には、以上に説明した各種の好ましい構成、形態を含む本開示の表示装置等において、導光板は透明基板から成る形態とすることができる。導光板は、導光板の軸線（長手方向、水平方向であり、Ｘ軸方向に該当する）と平行に延びる２つの平行面（第１面及び第２面）を有している。導光板の幅方向（高さ方向、垂直方向）はＹ軸方向に該当する。光が入射する導光板の面を入射面、光が出射する導光板の面を出射面と呼ぶとき、第２面によって光入射面及び光出射面が構成されていてもよいし、第１面によって光入射面が構成され、第２面によって光出射面が構成されていてもよい。ホログラム回折格子膜の干渉縞は、概ねＹ軸方向と平行に延びる。導光板を構成する材料として、石英ガラスやＢＫ７等の光学ガラス、ソーダライムガラス、白板ガラスを含むガラスや、プラスチック材料（例えば、ポリカーボネート樹脂、ポリカーボネート樹脂とアクリル系樹脂の積層構造、シクロオレフィンポリマー、非晶性のポリプロピレン系樹脂、ＡＳ樹脂を含むスチレン系樹脂）を挙げることができる。導光板の形状は、平板に限定するものではなく、湾曲した形状を有していてもよい。導光板は、全体として画像形成装置よりも観察者の顔の中心側に配置されている。
【００２７】
光学装置は半透過型（シースルー型）である。具体的には、少なくとも観察者の眼球（瞳）に対向する光学装置の部分を半透過（シースルー）とし、光学装置のこの部分（及び、調光装置が配されている場合には、更に、調光装置）を通して外景を眺めることができる。本開示の表示装置等は、画像表示装置を１つ備えていてもよいし（片眼型）、２つ備えていてもよい（両眼型）。調光装置が配されている場合、両眼型にあっては、画像を表示するための信号に基づき、両方の画像表示装置において調光装置の一部の領域の光透過率を変化させてもよいし、一方の画像表示装置において調光装置の一部の領域の光透過率を変化させてもよい。
【００２８】
本明細書において、「半透過」という用語を用いる場合があるが、入射する光の１／２（５０％）を透過し、あるいは反射することを意味するのではなく、入射する光の一部を透過し、残部を反射するといった意味で用いている。
【００２９】
本開示の表示装置等における画像表示装置によって、単色（例えば、緑色）の画像表示を行うことができる。そして、この場合、例えば、画角を例えば二分割（より具体的には、例えば二等分割）して、第１偏向手段は、二分割された画角群のそれぞれに対応する２枚のホログラム回折格子膜が積層されて成る構成とすることができる。あるいは又、導光板の第１面及び第２面のそれぞれに第１偏向手段を配してもよい。また、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、Ｐ層の反射型の体積ホログラム回折格子膜が積層されて成る構成とすることができる。各ホログラム回折格子膜には１種類の波長帯域（あるいは、波長）に対応する干渉縞が形成されている。あるいは又、異なるＰ種類の波長帯域（あるいは、波長）を有するＰ種類の光の回折反射に対応するために、１枚のホログラム回折格子膜にＰ種類の干渉縞が形成されている構成とすることもできる。あるいは又、例えば、第１導光板に、赤色の波長帯域（あるいは、波長）を有する光を回折反射させる反射型の体積ホログラム回折格子膜を配し、第２導光板に、緑色の波長帯域（あるいは、波長）を有する光を回折反射させる反射型の体積ホログラム回折格子膜を配し、第３導光板に、青色の波長帯域（あるいは、波長）を有する光を回折反射させる反射型の体積ホログラム回折格子膜を配し、これらの第１導光板、第２導光板及び第３導光板を隙間を開けて積層する構造を採用してもよい。第１導光板又は第３導光板が導光板に相当する。あるいは又、画角を例えば三等分して、第１回折格子部材あるいは第２回折格子部材を、各画角に対応するホログラム回折格子膜が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００３０】
回折格子部材を構成する材料として、フォトポリマー材料を挙げることができる。反射型の体積ホログラム回折格子膜から成る第１回折格子部材及び第２回折格子部材の構成材料や基本的な構造は、従来の反射型の体積ホログラム回折格子膜の構成材料や構造と同じとすればよい。反射型の体積ホログラム回折格子膜とは、＋１次の回折光のみを回折反射するホログラム回折格子膜を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材の表面と干渉縞の成す角度を意味する。第１回折格子部材及び第２回折格子部材を、Ｐ層の反射型の体積ホログラム回折格子膜の積層構造から構成する場合、このようなホログラム回折格子膜の積層は、Ｐ層のホログラム回折格子膜をそれぞれ別個に作製した後、Ｐ層のホログラム回折格子膜を、例えば、紫外線硬化型接着剤を使用して積層（接着）すればよい。また、粘着性を有するフォトポリマー材料を用いて１層のホログラム回折格子膜を作製した後、その上に順次粘着性を有するフォトポリマー材料を貼り付けてホログラム回折格子膜を作製することで、Ｐ層のホログラム回折格子膜を作製してもよい。作製されたホログラム回折格子膜に、必要に応じてエネルギー線を照射することで、ホログラム回折格子膜の物体光及び参照光の照射時に重合せずに残ったフォトポリマー材料中のモノマーを重合させて、定着させる。また、必要に応じて、熱処理を行い、安定化させる。
【００３１】
以上に説明した各種好ましい形態、構成を含む本開示の表示装置等における画像表示装置において、画像形成装置は、２次元マトリクス状に配列された複数の画素を有する形態とすることができる。尚、このような画像形成装置の構成を、便宜上、『第１構成の画像形成装置』と呼ぶ。
【００３２】
第１構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）、半導体レーザ素子等の発光素子から構成された画像形成装置を挙げることができるが、中でも、反射型空間光変調装置及び光源から構成された画像形成装置や、発光素子から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学系へと導く偏光ビームスプリッターから成る構成とすることができる。光源を構成する発光素子として、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、８５４×４８０、１０２４×７６８、１９２０×１０８０等を例示することができる。
【００３３】
あるいは又、以上に説明した好ましい形態、構成を含む本開示の表示装置等における画像表示装置において、画像形成装置は、光源、及び、光源から出射された平行光を走査する走査手段を備えた形態とすることができる。尚、このような画像形成装置の構成を、便宜上、『第２構成の画像形成装置』と呼ぶ。
【００３４】
第２構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、８５４×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。
【００３５】
第１構成の画像形成装置あるいは第２構成の画像形成装置において、光学系（出射光を平行光とする光学系であり、『平行光出射光学系』と呼ぶ場合があり、具体的には、例えば、コリメート光学系やリレー光学系）にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と導光板との間には、平行光出射光学系から不所望の光が出射されて導光板に入射しないように、開口部を有する遮光部を配置してもよい。
【００３６】
本開示の表示装置等にあっては、画像表示装置において画像を表示するための信号（光学装置において虚像を形成するための信号）を外部から受け取る形態とすることができる。このような形態にあっては、画像表示装置において表示する画像に関する情報やデータは、例えば、所謂クラウドコンピュータやサーバーに記録、保管、保存されており、表示装置が通信手段、例えば、携帯電話機やスマートフォンを備えることによって、あるいは又、表示装置と通信手段とを組み合わせることによって、クラウドコンピュータやサーバーと表示装置との間での各種情報やデータの授受、交換を行うことができるし、各種情報やデータに基づく信号、即ち、画像表示装置において画像を表示するための信号（光学装置において虚像を形成するための信号）を受け取ることができる。あるいは又、画像表示装置において画像を表示するための信号（光学装置において虚像を形成するための信号）は表示装置に記憶されている形態とすることができる。画像表示装置において表示される画像には、各種情報や各種データが含まれる。あるいは又、表示装置は撮像装置を備えており、撮像装置によって撮像された画像を通信手段を介してクラウドコンピュータやサーバーに送出し、クラウドコンピュータやサーバーにおいて撮像装置によって撮像された画像に該当する各種情報やデータを検索し、検索された各種情報やデータを通信手段を介して表示装置に送出し、検索された各種情報やデータを画像表示装置において画像を表示してもよい。
【００３７】
撮像装置によって撮像された画像を通信手段を介してクラウドコンピュータやサーバーに送出する際、撮像装置によって撮像される画像を画像表示装置において表示し、光学装置において確認してもよい。具体的には、撮像装置によって撮像される空間領域の外縁を調光装置において枠状に表示する形態とすることができる。あるいは又、撮像装置によって撮像される空間領域に対応する調光装置の領域の遮光率を、撮像装置によって撮像される空間領域の外側に対応する調光装置の領域の遮光率よりも高くする形態とすることができる。このような形態にあっては、観察者には、撮像装置によって撮像される空間領域は、撮像装置によって撮像される空間領域の外側よりも暗く見える。あるいは又、撮像装置によって撮像される空間領域に対応する調光装置の領域の遮光率を、撮像装置によって撮像される空間領域の外側に対応する調光装置の領域の遮光率よりも低くする形態とすることもできる。このような形態にあっては、観察者には、撮像装置によって撮像される空間領域は、撮像装置によって撮像される空間領域の外側よりも明るく見える。そして、これによって、撮像装置が外部のどこを撮像するかを観察者は、容易に、且つ、確実に認識することができる。
【００３８】
撮像装置によって撮像される空間領域に対応する調光装置の領域の位置を校正することが好ましい。具体的には、表示装置が、例えば、携帯電話機やスマートフォンを備えることによって、あるいは又、表示装置と携帯電話機やスマートフォン、パーソナルコンピュータとを組み合わせることによって、携帯電話機やスマートフォン、パーソナルコンピュータにおいて、撮像装置によって撮像された空間領域を表示することができる。そして、携帯電話機やスマートフォン、パーソナルコンピュータにおいて表示された空間領域と、撮像装置によって撮像される空間領域に対応する調光装置の領域との間に差異が存在する場合、調光装置の遮光率（光透過率）を制御するための制御回路（携帯電話機やスマートフォン、パーソナルコンピュータによって代用することもできる）を用いて、撮像装置によって撮像される空間領域に対応する調光装置の領域を移動・回転させ、あるいは、拡大／縮小することで、携帯電話機やスマートフォン、パーソナルコンピュータにおいて表示された空間領域と、撮像装置によって撮像される空間領域に対応する調光装置の領域との間の差異を無くせばよい。
【００３９】
以上に説明した種々の変形例を含む本開示の表示装置等は、例えば、電子メールの受信・表示、インターネット上の種々のサイトにおける各種情報等の表示、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号が表示装置に送出され、画像が表示装置にて表示される。また、各種装置、人物や物品等の観察対象物に関する各種説明の表示を行うが、撮像装置によって各種装置、人物や物品等の観察対象物を撮影（撮像）し、表示装置において撮影（撮像）内容を解析することで、予め作成しておいた各種装置、人物や物品等の観察対象物に関する各種説明の表示を表示装置にて行うことができる。
【００４０】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。画像表示装置を通して眺めた観察対象物を含む所定の領域の輝度に対応した輝度データとする場合、画像表示装置を通して眺めた観察対象物を含む所定の領域の輝度の値が高くなるほど、画像の輝度の値が高くなるように（即ち、画像がより明るく表示されるように）、輝度データの値を設定すればよい。また、画像表示装置を通して眺めた観察対象物を含む所定の領域の色度に対応した色度データとする場合、画像表示装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤色に対しての緑色、黄色に対しての紫色、青色に対しての橙色など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【００４１】
本開示の表示装置等によって、例えば、頭部装着型ディスプレイ（ＨＭＤ）を構成することができる。そして、これによって、表示装置の軽量化、小型化を図ることができるし、表示装置装着時の不快感を大幅に軽減させることが可能となり、更には、製造コストダウンを図ることも可能となる。あるいは又、車両や航空機のコックピット等に備えられるヘッドアップディスプレイ（ＨＵＤ）に本開示の表示装置等を適用することができる。具体的には、画像形成装置から出射された光に基づき虚像が形成される虚像形成領域が車両や航空機のコックピット等のフロントガラスに配されたＨＵＤにおいて、あるいは又、画像形成装置から出射された光に基づき虚像が形成される虚像形成領域を有するコンバイナが車両や航空機のコックピット等のフロントガラスに配されたＨＵＤにおいて、調光装置を備えている場合、係る虚像形成領域やコンバイナを調光装置の少なくとも一部分と重ならせればよい。あるいは又、本開示の表示装置等は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。
【実施例１】
【００４２】
実施例１は、本開示の第１の態様に係る表示装置に関する。実施例１の表示装置を正面から眺めた模式図を図１Ａに示し、実施例１の表示装置を側面から眺めた模式図（但し、遮光部材やパッド部等の図示は省略）を図１Ｂに示し、実施例１の表示装置を上方から眺めた模式図を図２に示す。また、実施例１の表示装置に備えられた遮光部材の効果を説明するための模式図を図３Ａに示し、従来の表示装置における問題点を説明するための模式図を図３Ｂに示し、実施例１の表示装置に備えられた導光板と遮光部材の位置関係を説明するために、これらを上方から眺めたときの模式的な断面図を図３Ｃに示す。【００４３】
実施例１の表示装置１Ａあるいは後述する実施例２の表示装置１Ｂは、具体的には、頭部装着型ディスプレイ（ＨＭＤ）に用いられる表示装置であり、
観察者５０の正面に配置されるフロント部１１、フロント部１１の両端から延びるテンプル部１２、及び、パッド部１７を備え、観察者５０の頭部に装着されるフレーム１０、並びに、
フレーム１０に取り付けられた画像表示装置２０、
を備えており、
画像表示装置２０は、
画像形成装置３０、及び、
画像形成装置３０から出射された光が入射され、観察者５０に向かって出射する光学装置４０、
を備えており、
光学装置４０の一端部４０Ａは、フロント部１１のテンプル部側に固定されている。【００４４】
そして、実施例１の表示装置１Ａにおいて、光学装置４０の他端部４０Ｂは、フロント部１１のパッド部側に配置されており、光学装置４０の他端部４０Ｂの上方から光学装置４０の他端部４０Ｂへの外光の入射を防ぐ遮光部材６０が、フロント部１１のパッド部側に取り付けられている。また、図３Ｃに示すように、光学装置４０（具体的には、導光板４１）の他端部４０Ｂは、観察者５０と対向する遮光部材６０の対向面６０Ａの上を自在に滑動する。場合によっては、光学装置４０（具体的には、導光板４１）の他端部４０Ｂは、遮光部材６０の対向面６０Ａと離れて、即ち、接触しないように、位置する。【００４５】
更には、実施例１及び実施例２の表示装置１Ａ，１Ｂにおいて、光学装置４０（具体的には、導光板４１）の一端部４０Ａは、フロント部１１のテンプル部側に配設された画像形成装置３０に取り付けられている。具体的には、光学装置４０の一端部４０Ａは、例えば、画像形成装置３０に接着剤を用いて取り付けられている。【００４６】
光学装置４０は半透過型（シースルー型）である。具体的には、少なくとも観察者５０の眼球（瞳）５１に対向する光学装置４０の部分を半透過（シースルー）とし、光学装置４０のこの部分（後述する調光装置が配されている場合には、更に、調光装置）を通して外景を眺めることができる。表示装置１Ａ，１Ｂは、図示するように画像表示装置２０を２つ備えていてもよいし（両眼型）、１つ備えていてもよい（片眼型）。画像形成装置３０は、単色（例えば、青色）の画像（虚像）を表示する。【００４７】
ここで、画像形成装置及び光学装置の配置を模式的に示す図８を参照して説明すると、実施例１及び実施例２の表示装置１Ａ，１Ｂにおいて、光学装置４０は、
画像形成装置３０から入射された光が内部を全反射により伝播した後、観察者５０に向けて出射される導光板４１、
導光板４１に入射された光が導光板４１の内部で全反射されるように、導光板４１に入射された光を偏向させる第１偏向手段４２、及び、
導光板４１の内部を全反射により伝播した光を導光板４１から出射させるために、導光板４１の内部を全反射により伝播した光を偏向させる第２偏向手段４３、
を備えている。即ち、画像形成装置３０から入射された光は、導光板４１の内部を全反射により伝播した後、観察者５０に向けて出射される。導光板４１は、全体として画像形成装置３０よりも観察者５０の顔の中心側に配置されている。【００４８】
光学ガラスやプラスチック材料から成る導光板４１は、導光板４１の内部全反射による光伝播方向（Ｘ方向）と平行に延びる２つの平行面（第１面４１Ａ及び第２面４１Ｂ）を有している。第１面４１Ａと第２面４１Ｂとは対向している。そして、光入射面に相当する第２面４１Ｂから平行光が入射され、内部を全反射により伝播した後、光出射面に相当する第２面４１Ｂから出射される。但し、これに限定するものではなく、第１面４１Ａによって光入射面が構成され、第２面４１Ｂによって光出射面が構成されていてもよい。【００４９】
更には、実施例１及び実施例２の表示装置１Ａ，１Ｂにおいて、画像形成装置３０は、フロント部１１のテンプル部側に取り付けられている。具体的には、画像形成装置３０を内部に格納した筐体３０’が、フロント部１１に取り付けられている。尚、筐体３０’を、テンプル部１２に取り付けてもよいし、フロント部１１からテンプル部１２に亙り取り付けてもよい。画像形成装置３０の取付け（筐体３０’の取付け）は、例えば、ビスを用いる方法等、適切な方法によって行えばよい。【００５０】
遮光部材６０は、不透明な種々のプラスチック材料や金属材料、合金材料から作製すればよいし、フロント部１１のパッド部側への遮光部材６０の取付けは、接着剤を用いる方法、ビスを用いる方法等、適切な方法を採用すればよい。遮光部材６０は、具体的には、パッド部側のフロント部１１の部分に取り付けてもよいし、パッド部１７に取り付けてもよい。あるいは又、遮光部材６０がフロント部１１と一体となった構造とすることもできるし、遮光部材６０がパッド部１７と一体となった構造とすることもできる。図示した例では、遮光部材６０がパッド部１７と一体となった構造を有し、遮光部材６０が一体となったパッド部１７は、フロント部１１に取り付けられている。導光板４１の上方に位置する遮光部材６０の部分の長さは、導光板４１の軸線の長さの１０％乃至１００％、好ましくは、４５％乃至６５％とすることが好ましく、具体的には、５７％を例示することができる。【００５１】
実施例１及び実施例２の表示装置１Ａ，１Ｂにおいて、２つのテンプル部１２のそれぞれは、フロント部１１と一体となっている。尚、テンプル部１２は、蝶番を介してフロント部１１の端部に回動自在に取り付けられていてもよい。即ち、フレーム１０は、観察者５０の正面に配置されるフロント部１１と、フロント部１１の両端から延びる２つのテンプル部１２と、各テンプル部１２の先端部に取り付けられたモダン部（先セル、耳あて、イヤーパッドとも呼ばれる）１３から成る。実施例１及び実施例２の表示装置１Ａ，１Ｂの全体を眺めたとき、フレーム１０は、概ね通常の眼鏡やサングラスと略同じ外観である。パッド部１７や遮光部材６０、フレーム１０を構成する材料は、金属や合金、プラスチック、これらの組合せといった、通常の眼鏡やサングラスを構成する材料と同じ材料から構成することができる。【００５２】
更には、画像形成装置３０から延びる配線（信号線や電源線等）１４が、テンプル部１２、及び、モダン部１３の内部を介して、モダン部１３の先端部から外部に延び、制御装置（制御回路、制御手段）１６に接続されている。更には、画像形成装置３０はヘッドホン部１５を備えており、画像形成装置３０から延びるヘッドホン部用配線１５’が、テンプル部１２、及び、モダン部１３の内部を介して、モダン部１３の先端部からヘッドホン部１５へと延びている。ヘッドホン部用配線１５’は、より具体的には、モダン部１３の先端部から、耳介（耳殻）の後ろ側を回り込むようにしてヘッドホン部１５へと延びている。このような構成にすることで、ヘッドホン部１５やヘッドホン部用配線１５’が乱雑に配置されているといった印象を与えることがなく、すっきりとした表示装置とすることができる。【００５３】
配線（信号線や電源線等）１４は、上述したとおり、制御装置（制御回路）１６に接続されている。制御装置１６には、例えば、画像情報記憶装置（図示せず）が備えられている。そして、制御装置１６において画像表示のための処理がなされる。制御装置１６、画像情報記憶装置は周知の回路から構成することができる。【００５４】
実施例１及び実施例２の表示装置１Ａ，１Ｂにおいて、第１偏向手段（第１回折格子部材）４２及び第２偏向手段（第２回折格子部材）４３は、ホログラム回折格子膜から構成されている。そして、第１偏向手段４２は、導光板４１に入射された光を回折反射し、第２偏向手段４３は、導光板４１の内部を全反射により伝播した光を回折反射する。ホログラム回折格子膜は、例えば、反射型のホログラム回折格子膜、具体的には、反射型の体積ホログラム回折格子膜から成る。導光板４１は、ガラスや樹脂から構成された透明基板から成る。導光板４１の第２面４１Ｂによって入射面が構成され、第２面４１Ｂに対向する導光板４１の第１面４１Ａの上に第１偏向手段（第１回折格子部材）４２及び第２偏向手段（第２回折格子部材）４３が配設されている。【００５５】
画像表示装置２０については、実施例３〜実施例６において詳しく説明する。【００５６】
実施例１の表示装置にあっては、光学装置の他端部の上方から光学装置の他端部に太陽光が入射しないように、遮光部材がフロント部のパッド部側に取り付けられている。それ故、観察者の頭上に太陽が位置し、太陽光が、直接、光学装置を照射した場合であっても、太陽光が光学装置の他端部の端面に入射することが無い。この状態を、図３Ａに模式的に図示する。従って、光学装置の内部で迷光が発生して画像の品質低下を招くといった問題の発生を防止することができる。尚、光学装置に遮光部材を備えていない従来の表示装置において、観察者の頭上に太陽が位置し、太陽光が、直接、光学装置を照射した場合、光学装置の他端部の上方から光学装置の他端部の端面に太陽光が入射し、迷光が発生する。この状態を、図３Ｂに模式的に図示する。また、パッド部に光学装置の質量が加わらないので、あるいは又、加わっても僅かであるので、観察者の鼻が痛くなることがなく、観察者の表示装置装着感に優れている。【００５７】
実施例１の表示装置の変形例を正面から眺めた模式図を図４に示すように、遮光部材６０を、パッド部側のフロント部１１の部分に取り付け、パッド部１７もフロント部１１に取り付ける構成とすることもできる。
【実施例２】
【００５８】
実施例２は、本開示の第２の態様に係る表示装置に関する。実施例２の表示装置を正面から眺めた模式図を図５に示し、観察者が実施例２の表示装置を頭部に装着したときの実施例２の表示装置を上方から眺めた図を図６Ａ及び図６Ｃに示し、実施例２の表示装置に備えられた導光板と光学装置受け部材の位置関係を説明するために、これらを上方から眺めたときの模式的な断面図を図６Ｂ及び図６Ｄに示す。また、従来の表示装置に備えられた導光板とリムの位置関係を説明するために、これらを上方から眺めたときの模式的な断面図を図７Ａ及び図７Ｂに示す。【００５９】
実施例２の表示装置１Ｂにおいて、光学装置４０の他端部４０Ｂは、フロント部１１のパッド部側に配置され、フロント部１１において自在に滑動する。具体的には、フロント部１１のパッド部側には、光学装置受け部材７０が取り付けられており、光学装置４０の他端部４０Ｂは、光学装置受け部材７０の上を自在に滑動する。ここで、
光学装置受け部材７０は、仮想水平面で切断したときの断面形状がＬ字の部材から成り（図６Ｂ、図６Ｄ参照）、
Ｌ字の縦棒の部分に相当する光学装置受け部材７０の第１の部分７２は、観察者５０と対向して垂直方向に延びており、
観察者５０から遠い方の光学装置受け部材７０の第１の部分７２の端部７２’から延びるＬ字の横棒の部分に相当する光学装置受け部材７０の第２の部分７３は、フロント部１１のテンプル部側に向かって延びており、
光学装置４０の他端部４０Ｂは、光学装置受け部材７０の第２の部分の観察者５０と対向する対向面７１の上を自在に滑動する。【００６０】
光学装置受け部材７０は、不透明な種々のプラスチック材料や金属材料、合金材料から作製すればよいし、フロント部１１のパッド部側への光学装置受け部材７０の取付けは、接着剤を用いる方法、ビスを用いる方法等、適切な方法を採用すればよい。光学装置受け部材７０は、具体的には、パッド部側のフロント部１１の部分に取り付けてもよいし、パッド部１７に取り付けてもよいし、光学装置受け部材７０がフロント部１１と一体となった構造とすることもできるし、光学装置受け部材７０がパッド部と一体となった構造とすることもできる。図示した例では、光学装置受け部材７０は、パッド部側のフロント部１１の部分に取り付けている。パッド部１７はフロント部１１に取り付けられている。導光板４１に対向する光学装置受け部材７０の部分の長さは、導光板４１の幅方向の長さの
２０％乃至１００％とすることが好ましく、具体的には、７０％を例示することができる。【００６１】
前述したように、表示装置１Ｂの設計条件と同じあるいは条件に近い観察者５０が、表示装置１Ｂを頭部に装着したときの状態を、表示装置１Ｂを上方から眺めた図として図６Ａに示す。尚、図６Ａ及び図６Ｃにおいて、光学装置受け部材７０及びパッド部１７の図示は省略した。一方、この表示装置１Ｂを、表示装置１Ｂの設計条件よりも大きな観察者５０が頭部に装着したときの状態を、表示装置１Ｂを上方から眺めた図として図６Ｃに示す。そして、この場合、図６Ｃに示すように、テンプル部１２が外側に広がってしまう。尚、図６Ｃにおいて、表示装置１Ｂの設計条件と同じあるいは条件に近い観察者５０が、表示装置１Ｂを頭部に装着したときの状態を、点線で示す。その結果、このような場合、フレーム１０の正面部に応力が加わり、テンプル部１２とパッド部１７との間のフレーム１０の正面部の領域が歪んでしまう。【００６２】
従来の表示装置においては、図７Ａ及び図７Ｂに示すように、導光板４１の端部は、リム１７０の凹部内に納められている。テンプル部１２が外側に広がると、導光板４１は、図７Ｂの点線で示す状態から実線で示す状態へと位置変化が生じる。その結果、導光板４１の端部は、リム１７０の凹部と強く接触し、導光板４１にも応力が加わり、導光板４１に変形が生じ、観察者が観察する画像にも歪みが発生する。【００６３】
一方、上述したとおり、実施例２の表示装置１Ｂにあっては、光学装置４０の他端部４０Ｂは、フロント部１１のパッド部側に配置され、フロント部１１において自在に滑動する。従って、テンプル部１２が外側に広がると、導光板４１は、図６Ｂの実線（図６Ｄの点線）で示す状態から図６Ｄの実線で示す状態へと位置変化が生じるが、導光板４１の端部は光学装置受け部材７０の上を自在に滑動するので、導光板４１に応力が加わることが無く、導光板４１に変形が生じることが無い。それ故、観察者が観察する画像に歪みが発生することも無い。尚、光学装置４０（具体的には、導光板４１）の他端部４０Ｂは、その位置によっては、光学装置受け部材７０の対向面７１と離れた状態、即ち、接触していない状態となる場合もある。【００６４】
以上のとおり、実施例２の表示装置にあっては、光学装置の他端部は、フロント部のパッド部側に配置され、フロント部において自在に滑動するので、観察者が表示装置を頭部に装着したときテンプル部が外側に広がった場合であっても光学装置に歪みが生じ難く、観察者が観察する画像の画質への影響が少ない。また、パッド部に光学装置の質量が加わらないので、あるいは又、加わっても僅かであるので、観察者の鼻が痛くなることがなく、観察者の表示装置装着感に優れている。【００６５】
以上の点を除き、実施例２の表示装置の構成、構造は、実施例１において説明した表示装置の構成、構造と同様とすることができるので、詳細な説明は省略する。
【実施例３】
【００６６】
実施例３〜実施例５においては、画像形成装置及び光学装置の説明を行う。実施例３にあっては、実施例１において説明した表示装置を構成する画像形成装置及び光学装置の説明を行うが、これらの画像形成装置及び光学装置の配置を模式的に図８に示す。【００６７】
実施例３の表示装置において、第１偏向手段４２及び第２偏向手段４３は、具体的には、導光板４１の表面（具体的には、導光板４１の第１面４１Ａ）に配設されている（具体的には、貼り合わされている）。そして、第１偏向手段４２は、導光板４１に入射された光を回折反射し、第２偏向手段４３は、導光板４１の内部を全反射により伝播した光を回折反射する。第１偏向手段４２及び第２偏向手段４３は、前述したとおり、回折格子部材、具体的には反射型回折格子部材、より具体的には反射型体積ホログラム回折格子部材から成る。以下の説明において、ホログラム回折格子部材から成る第１偏向手段を、便宜上、『第１回折格子部材４２』と呼び、ホログラム回折格子部材から成る第２偏向手段を、便宜上、『第２回折格子部材４３』と呼ぶ。【００６８】
そして、実施例３あるいは後述する実施例４において、第１回折格子部材４２及び第２回折格子部材４３は、１層の回折格子層から成る構成とされている。フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｙ方向に平行である。第１回折格子部材４２及び第２回折格子部材４３の軸線はＸ方向と平行であり、法線はＺ方向と平行である。【００６９】
図９Ａに反射型体積ホログラム回折格子部材の拡大した模式的な一部断面図を示す。反射型体積ホログラム回折格子部材には、傾斜角（スラント角）φを有する干渉縞が形成されている。傾斜角φとは、反射型体積ホログラム回折格子部材の表面と干渉縞の成す角度を指す。干渉縞は、反射型体積ホログラム回折格子部材の内部から表面に亙り、形成されている。干渉縞は、ブラッグ条件を満たしている。ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【００７０】
ｍ・λ＝２・ｄ・ｓｉｎ（Θ）    （Ａ）
Θ＝９０°−（φ＋ψ）          （Ｂ）【００７１】
第１回折格子部材４２は、上述したとおり、導光板４１の第１面４１Ａに配設（接着）されており、第２面４１Ｂから導光板４１に入射されたこの平行光が導光板４１の内部で全反射されるように、導光板４１に入射されたこの平行光を回折反射する。更には、第２回折格子部材４３は、上述したとおり、導光板４１の第１面４１Ａに配設（接着）されており、導光板４１の内部を全反射により伝播したこの平行光を回折反射し、導光板４１から平行光のまま第２面４１Ｂから出射する。【００７２】
そして、導光板４１において、平行光が内部を全反射により伝播した後、出射される。このとき、導光板４１が薄く導光板４１の内部を進行する光路が長いため、各画角によって第２回折格子部材４３に至るまでの全反射回数は異なっている。より詳細に述べれば、導光板４１に入射する平行光のうち、第２回折格子部材４３に近づく方向の角度をもって入射する平行光の反射回数は、第２回折格子部材４３から離れる方向の角度をもって導光板４１に入射する平行光の反射回数よりも少ない。これは、第１回折格子部材４２において回折反射される平行光であって、第２回折格子部材４３に近づく方向の角度をもって導光板４１に入射する平行光の方が、これと逆方向の角度をもって導光板４１に入射する平行光よりも、導光板４１の内部を伝播していく光が導光板４１の内面と衝突するときの導光板４１の法線と成す角度が小さくなるからである。また、第２回折格子部材４３の内部に形成された干渉縞の形状と、第１回折格子部材４２の内部に形成された干渉縞の形状とは、導光板４１の軸線に垂直な仮想平面に対して対称な関係にある。第１回折格子部材４２及び第２回折格子部材４３の導光板４１とは対向していない面を、透明樹脂板あるいは透明樹脂フィルムで被覆し、第１回折格子部材４２及び第２回折格子部材４３に損傷が生じることを防止する構造としてもよい。また、第２面４１Ｂに透明な保護フィルムを貼り合わせ、導光板４１を保護してもよい。【００７３】
後述する実施例４における導光板４１も、基本的には、以上に説明した導光板４１の構成、構造と同じ構成、構造を有する。【００７４】
実施例３あるいは後述する実施例５において、画像形成装置３０は、第１構成の画像形成装置であり、２次元マトリクス状に配列された複数の画素を有する。具体的には、画像形成装置３０は、有機ＥＬ表示装置３１Ｂを備えている。有機ＥＬ表示装置３１Ｂから出射され画像は、レンズ系を構成する第１の凸レンズ３１Ｃを通過し、更に、レンズ系を構成する第２の凸レンズ３１Ｅを通過し、平行光となって、導光板４１へと向かう。第１の凸レンズ３１Ｃの後方焦点ｆ1Bに、第２の凸レンズ３１Ｅの前方焦点ｆ2Fが位置する。また、第１の凸レンズ３１Ｃの後方焦点ｆ1B（第２の凸レンズ３１Ｅの前方焦点ｆ2F）の位置に、絞り３１Ｄが配置されている。絞り３１Ｄは画像出射部に該当する。画像形成装置３０の全体は、筐体３１Ａ（筐体３０’）内に納められている。筐体３１Ａは、適切な手段でフレーム１０に取り付けられている。有機ＥＬ表示装置３１Ｂは、２次元マトリクス状に配列された複数（例えば、６４０×４８０個）の画素（有機ＥＬ素子）を備えている。【００７５】
あるいは又、図９Ｂに示すように、画像形成装置３０は、第１構成の画像形成装置であり、２次元マトリクス状に配列された複数の画素を有する。具体的には、画像形成装置３０は、反射型空間光変調装置、及び、白色光を出射する発光ダイオードから成る光源３２Ｂから構成されている。画像形成装置３０全体は、筐体３２Ａ（図９Ｂでは、一点鎖線で示す）内に納められており、係る筐体３２Ａ（筐体３０’）には開口部（図示せず）が設けられており、開口部を介して光学系（平行光出射光学系、コリメート光学系３２Ｅ）から光が出射される。筐体３２Ａは、適切な手段でフレーム１０に取り付けられている。反射型空間光変調装置は、ライト・バルブとしてのＬＣＯＳから成る液晶表示装置（ＬＣＤ）３２Ｄから成る。更には、光源３２Ｂからの光の一部を反射して液晶表示装置３２Ｄへと導き、且つ、液晶表示装置３２Ｄによって反射された光の一部を通過させて光学系３２Ｅへと導く偏光ビームスプリッター３２Ｃが備えられている。液晶表示装置３２Ｄは、２次元マトリクス状に配列された複数（例えば、６４０×４８０個）の画素（液晶セル、液晶表示素子）を備えている。偏光ビームスプリッター３２Ｃは、周知の構成、構造を有する。光源３２Ｂから出射された無偏光の光は、偏光ビームスプリッター３２Ｃに衝突する。偏光ビームスプリッター３２Ｃにおいて、Ｐ偏光成分は通過し、系外に出射される。一方、Ｓ偏光成分は、偏光ビームスプリッター３２Ｃにおいて反射され、液晶表示装置３２Ｄに入射し、液晶表示装置３２Ｄの内部で反射され、液晶表示装置３２Ｄから出射される。ここで、液晶表示装置３２Ｄから出射した光の内、「白」を表示する画素から出射した光にはＰ偏光成分が多く含まれ、「黒」を表示する画素から出射した光にはＳ偏光成分が多く含まれる。従って、液晶表示装置３２Ｄから出射され、偏光ビームスプリッター３２Ｃに衝突する光の内、Ｐ偏光成分は、偏光ビームスプリッター３２Ｃを通過し、光学系３２Ｅへと導かれる。一方、Ｓ偏光成分は、偏光ビームスプリッター３２Ｃにおいて反射され、光源３２Ｂに戻される。光学系３２Ｅは、例えば凸レンズから構成され、平行光を生成させるために、光学系３２Ｅにおける焦点距離の所（位置）に画像形成装置３０（より具体的には、液晶表示装置３２Ｄ）が配置されている。画像形成装置３０から出射された画像は、光学装置４０を介して観察者５０の瞳５１に到達する。【００７６】
画像表示装置２０において表示する画像に関する情報やデータ、あるいは又、受信装置が受け取るべき信号は、例えば、所謂クラウドコンピュータやサーバーに記録、保管、保存されており、表示装置１Ａ，１Ｂが通信手段（送受信装置）、例えば、携帯電話機やスマートフォンを備えることによって、あるいは又、表示装置１Ａ，１Ｂに備えられた制御装置（制御回路、制御手段）１６に通信手段（受信装置）を組み込むことで、通信手段を介してクラウドコンピュータやサーバーと表示装置１Ａ，１Ｂとの間での各種情報やデータ、信号の授受、交換を行うことができるし、各種情報やデータに基づく信号、即ち、画像表示装置２０において画像を表示するための信号を受け取ることができるし、受信装置は信号を受け取ることができる。【００７７】
具体的には、観察者が、携帯電話機やスマートフォンに、入手すべき「情報」を要求する旨の入力を行うと、携帯電話機やスマートフォンは、クラウドコンピュータやサーバーにアクセスし、「情報」をクラウドコンピュータやサーバーから入手する。こうして、制御装置１６は、画像表示装置２０において画像を表示するための信号を受け取る。制御装置１６にあっては、この信号に基づいて周知の画像処理を行い、画像形成装置３０に「情報」を画像として表示する。この「情報」を画像は、導光板４１において、画像形成装置３０から出射される光に基づき、制御装置１６によって制御された所定の位置に虚像として表示される。即ち、虚像形成領域（第２偏向手段４３）の一部分において虚像が形成される。【００７８】
場合によっては、画像表示装置２０において画像を表示するための信号が、表示装置１Ａ，１Ｂ（具体的には、制御装置１６）に記憶されていてもよい。【００７９】
あるいは又、表示装置１Ａ，１Ｂに備えられたカメラ（図示せず）によって撮像された画像を通信手段を介してクラウドコンピュータやサーバーに送出し、クラウドコンピュータやサーバーにおいてカメラによって撮像された画像に該当する各種情報やデータを検索し、検索された各種情報やデータを通信手段を介して表示装置１Ａ，１Ｂに送出し、検索された各種情報やデータを画像表示装置２０において画像を表示してもよい。また、このような形態と「情報」の入力を併用すれば、例えば、観察者のいる場所等や観察者がどの方向を向いているか等の情報を加重することができるので、一層高い精度で、「情報」を画像形成装置３０において表示することができる。
【実施例４】
【００８０】
実施例４の表示装置（頭部装着型ディスプレイ）における画像表示装置２０の概念図を図１０に示すように、実施例４において、画像形成装置３０は、第２構成の画像形成装置から構成されている。即ち、光源３３Ｂ、光源３３Ｂから出射された平行光を２次元的に走査する走査手段３３Ｃ、及び、光源３３Ｂから出射された光を平行光とするレンズ系３３Ｄから構成されている。画像形成装置３０全体が筐体３３Ａ（筐体３０’）内に納められており、係る筐体３３Ａには開口部（図示せず）が設けられており、開口部を介してレンズ系３３Ｄから光が出射される。そして、筐体３３Ａは、適切な手段でフレーム１０に取り付けられている。【００８１】
光源３３Ｂは、例えば、半導体レーザ素子から構成されている。そして、光源３３Ｂから出射された光は、図示しないレンズによって平行光とされ、マイクロミラーを二次元方向に回転自在とし、入射した平行光を２次元的に走査することができるＭＥＭＳミラーから成る走査手段３３Ｃによって水平走査及び垂直走査が行われ、一種の２次元画像化され、仮想の画素（画素数は、例えば、実施例３と同じとすることができる）が生成される。そして、そして、仮想の画素（画像出射部に該当する走査手段３３Ｃ）からの光は、正の光学的パワーを持つレンズ系３３Ｄを通過し、平行光とされた光束が導光板４１に入射する。
【実施例５】
【００８２】
実施例５の表示装置（頭部装着型ディスプレイ）における画像表示装置２０の概念図を図１１に示すように、実施例５において、第１偏向手段４２’及び第２偏向手段４３’は導光板４１’の内部に配設されている。そして、第１偏向手段４２’は、導光板４１’に入射された光を反射し、第２偏向手段４３’は、導光板４１’の内部を全反射により伝播した光を、複数回に亙り、透過、反射する。即ち、第１偏向手段４２’は反射鏡として機能し、第２偏向手段４３’は半透過鏡として機能する。より具体的には、導光板４１’の内部に設けられた第１偏向手段４２’は、アルミニウム（Ａｌ）から成り、導光板４１’に入射された光を反射させる光反射膜（一種のミラー）から構成されている。一方、導光板４１’の内部に設けられた第２偏向手段４３’は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板４１’を構成する材料と同じ材料から成る薄片が挟まれている。第１偏向手段４２’においては、導光板４１’に入射された平行光が導光板４１’の内部で全反射されるように、導光板４１’に入射された平行光が反射される。一方、第２偏向手段４３’においては、導光板４１’の内部を全反射により伝播した平行光が複数回に亙り反射され、導光板４１’から平行光の状態で、観察者５０の瞳５１に向かって出射される。【００８３】
第１偏向手段４２’は、導光板４１’の第１偏向手段４２’を設ける部分４４を切り出すことで、導光板４１’に第１偏向手段４２’を形成すべき斜面を設け、係る斜面に光反射膜を真空蒸着した後、導光板４１’の切り出した部分４４を第１偏向手段４２’に接着すればよい。また、第２偏向手段４３’は、導光板４１’を構成する材料と同じ材料（例えば、ガラス）と誘電体積層膜（例えば、真空蒸着法にて成膜することができる）とが多数積層された多層積層構造体を作製し、導光板４１’の第２偏向手段４３’を設ける部分４５を切り出して斜面を形成し、係る斜面に多層積層構造体を接着し、研磨等を行って、外形を整えればよい。こうして、導光板４１’の内部に第１偏向手段４２’及び第２偏向手段４３’が設けられた光学装置４０を得ることができる。【００８４】
あるいは又、実施例５の表示装置（頭部装着型ディスプレイ）の変形例における画像表示装置２０の概念図を図１２に示す。図１２に示す例では、画像形成装置３０は、実施例４と同様に、第２構成の画像形成装置から構成されている。
【実施例６】
【００８５】
実施例６は、実施例１〜実施例５の変形であり、光学装置４０は、更に、外部から入射する外光の光量を調整する調光装置を備えている【００８６】
詳細は後述するが、調光装置は、
第１基板、
第１基板と対向する第２基板、
第２基板と対向する第１基板の対向面に設けられた第１透明電極、
第１基板と対向する第２基板の対向面に設けられた第２透明電極、及び、
第１透明電極と第２透明電極とによって挟まれた調光層、
から成る形態とすることができる。そして、この場合、例えば、
第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域（調光装置の遮光率が変化する最小単位領域）に対応する調光装置の部分の遮光率の制御は、第１透明電極セグメント及び第２透明電極セグメントに印加する電圧の制御に基づき行われる形態とすることができる。即ち、遮光率の制御を単純マトリクス方式に基づき行うことができる。第１の方向と第２の方向とは直交している形態を例示することができる。調光装置の動作時、調光装置の動作時、例えば、第１透明電極には第２透明電極よりも高い電圧が印加される。【００８７】
あるいは又、調光装置の遮光率が変化する最小単位領域の遮光率の制御のために、最小単位領域のそれぞれに薄膜トランジスタ（ＴＦＴ）を設けてもよい。即ち、遮光率の制御をアクティブマトリクス方式に基づき行ってもよい。あるいは又、第１透明電極及び第２透明電極の少なくとも一方を所謂ベタ電極（パターニングされていない電極）とすることもできる。【００８８】
第１基板及び第２基板の内のいずれか一方の基板が導光板を兼ねている構成とすることができ、このような構成とすることで、表示装置全体の重量の減少を図ることができ、表示装置の使用者に不快感を感じさせる虞が無い。第１基板及び第２基板の内のいずれか一方の基板は他方の基板よりも薄い構成とすることができる。調光装置を備えた表示装置にあっては、画像形成装置において画像を表示するための信号に基づき、調光装置の実際に調光する領域の大きさ及び位置を決定すればよい。調光装置の大きさは、光学装置と同じ大きさでもよいし、大きくてもよいし、小さくともよい。要は、調光装置の正射影像内に第２偏向手段（虚像形成領域）が位置していればよい。【００８９】
調光層は、無機又は有機のエレクトロクロミック材料の酸化還元反応によって発生する物質の色変化を応用した光シャッタから成る形態とすることができる。具体的には、調光層は無機又は有機のエレクトロクロミック材料を含む形態とすることができ、更には、調光層は、第１透明電極側から、ＷＯ3層／Ｔａ2Ｏ5層／ＩｒXＳｎ1-XＯ層といった無機エレクトロクロミック材料層の積層構造、あるいは又、ＷＯ3層／Ｔａ2Ｏ5層／ＩｒＯx層といった無機エレクトロクロミック材料層の積層構造を有する形態とすることができる。ＷＯ3層の代わりに、ＭｏＯ3層やＶ2Ｏ5層を用いることができる。また、ＩｒＯx層の代わりに、ＺｒＯ2層、リン酸ジルコニウム層を用いることができるし、あるいは又、プルシアンブルー錯体／ニッケル置換プルシアンブルー錯体等を用いることもできる。有機のエレクトロクロミック材料として、例えば、特開２０１４−１１１７１０号公報や特開２０１４−１５９３８５号公報に開示されたエレクトロクロミック材料を用いることもできる。また、調光層を、電気泳動分散液から構成することもできるし、調光装置を、金属（例えば、銀粒子）の可逆的な酸化還元反応によって発生する電着・解離現象を応用した電着方式（エレクトロデポジション・電界析出）による光シャッタ、即ち、調光層は金属イオンを含む電解質を含む形態とすることもできる。調光層を金属イオンを含む電解質層から構成する場合、金属イオンは銀イオンから成り、電解質は、ＬｉＸ、ＮａＸ及びＫＸ（但し、Ｘはフッ素原子、塩素原子、臭素原子又はヨウ素原子である）から成る群より選ばれた少なくとも１種類の塩を含むことが望ましい。あるいは又、調光装置として、場合によっては、液晶シャッタや、エレクトロウェッティング現象によって透過率を制御する光シャッタを用いることもできる。また、調光装置によって着色される色を、黒色等の固定色とすることもできるし、調光装置を通過する光は、調光装置によって所望の色に着色され、しかも、調光装置によって着色される色は可変である形態とすることもできる。具体的には、例えば、赤色に着色される調光装置と、緑色に着色される調光装置と、青色に着色される調光装置とを積層すればよい。【００９０】
あるいは又、調光層は電気泳動分散液を含む形態とすることができるし、調光装置を、金属（例えば、銀粒子）の可逆的な酸化還元反応によって発生する電着・解離現象を応用した電着方式（エレクトロデポジション・電界析出）による光シャッタ、即ち、調光層は金属イオンを含む電解質を含む形態とすることもできる。【００９１】
ここで、電気泳動分散液は、帯電した多数の電気泳動粒子、及び、電気泳動粒子とは異なる色の分散媒から構成される。例えば、第１透明電極にパターニングを施し、第２透明電極にはパターニングを施さない場合（所謂ベタ電極構成）であって、電気泳動粒子を負に帯電させた場合、第１透明電極に相対的に負の電圧を印加し、第２透明電極に相対的に正の電圧を印加すると、負に帯電している電気泳動粒子は第２透明電極を覆うように泳動する。従って、調光装置における遮光率は高い値となる。一方、これとは逆に、第１透明電極に相対的に正の電圧を印加し、第２透明電極に相対的に負の電圧を印加すると、電気泳動粒子は第１透明電極を覆うように泳動する。従って、調光装置における遮光率は低い値となる。このような透明電極への印加を適切に行うことで、調光装置における遮光率の制御を行うことができる。電圧は直流であってもよいし、交流であってもよい。パターニングされた第１透明電極の形状は、電気泳動粒子が第１透明電極を覆うように泳動し、調光装置における遮光率が低い値となったとき、調光装置における遮光率の値の最適化を図れるような形状とすればよく、種々の試験を行い決定すればよい。必要に応じて、透明電極の上に絶縁層を形成してもよい。係る絶縁層を構成する材料として、例えば、無色透明な絶縁性樹脂を挙げることができ、具体的には、例えば、アクリル系樹脂、エポキシ系樹脂、フッ素系樹脂、シリコーン系樹脂、ポリイミド系樹脂、ポリスチレン系樹脂等を挙げることができる。【００９２】
調光装置を構成する透明な第１基板及び第２基板を構成する材料として、具体的には、ソーダライムガラス、白板ガラス等の透明なガラス基板や、プラスチック基板、プラスチック・シート、プラスチック・フィルムを挙げることができる。ここで、プラスチックとして、ポリエチレンテレフタレート、ポリエチレンナフタレート、ポリカーボネート、酢酸セルロース等のセルロースエステル、ポリフッ化ビニリデンあるいはポリテトラフルオロエチレンとヘキサフルオロプロピレンとの共重合体等のフッ素系ポリマー、ポリオキシメチレン等のポリエーテル、ポリアセタール、ポリスチレン、ポリエチレン、ポリプロピレン、メチルペンテンポリマー等のポリオレフィン、ポリアミドイミドあるいはポリエーテルイミド等のポリイミド、ポリアミド、ポリエーテルサルフォン、ポリフェニレンサルファイド、ポリフッ化ビニリデン、テトラアセチルセルロース、ブロム化フェノキシ、ポリアリレート、ポリスルフォン等を挙げることができる。プラスチック・シート、プラスチック・フィルムは、容易に曲がらない剛性を有していてもよいし、可撓性を有していてもよい。第１基板及び第２基板を透明なプラスチック基板から構成する場合、基板内面に無機材料あるいは有機材料から成るバリア層を形成しておいてもよい。【００９３】
第１基板と第２基板とは、外縁部において封止部材によって封止され、接着されている。シール剤とも呼ばれる封止部材として、エポキシ系樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。【００９４】
前述したとおり、第１透明電極は、パターニングされていてもよいし、パターニングされていなくともよい。第２透明電極も、パターニングされていてもよいし、パターニングされていなくともよい。第１透明電極及び第２透明電極を構成する材料として、具体的には、インジウム−スズ複合酸化物（ＩＴＯ，Indium Tin Oxide，ＳｎドープのＩｎ2Ｏ3、結晶性ＩＴＯ及びアモルファスＩＴＯを含む）、フッ素ドープＳｎＯ2（ＦＴＯ）、ＩＦＯ（ＦドープのＩｎ2Ｏ3）、アンチモンドープＳｎＯ2（ＡＴＯ）、ＳｎＯ2、ＺｎＯ（ＡｌドープのＺｎＯやＢドープのＺｎＯを含む）、インジウム−亜鉛複合酸化物（ＩＺＯ，Indium Zinc Oxide）、スピネル型酸化物、ＹｂＦｅ2Ｏ4構造を有する酸化物、ポリアニリン、ポリピロール、ポリチオフェン等の導電性高分子等を挙げることができるが、これらに限定されるものではなく、また、これらを２種類以上組み合わせて用いることもできる。第１透明電極や第２透明電極は、真空蒸着法やスパッタリング法等の物理的気相成長法（ＰＶＤ法）、各種化学的気相成長法（ＣＶＤ法）、各種塗布法等に基づき形成することができるし、パターニングは、エッチング法、リフトオフ法、各種マスクを用いる方法等、任意の方法で行うことができる。【００９５】
場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。あるいは又、第１基板及び第２基板の少なくとも一方を、例えば、フレームに取り付けてもよい。あるいは又、調光装置は光学装置に取り付けられている形態とすることができる。即ち、調光装置は、密着した状態で光学装置に取り付けられていてもよいし、隙間を開けた状態で光学装置に取り付けられていてもよい。そして、この場合、導光板と調光装置を構成する基板の一方とは、外縁部において封止部材によって封止され、接着されている形態とすることもできる。シール剤とも呼ばれる封止部材として、エポキシ樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。但し、これらに限定するものではない。観察者側から、光学装置、調光装置の順に配してもよいし、調光装置、光学装置の順に配してもよい。また、調光装置にコネクタを取り付け（具体的には、第１透明電極や第２透明電極にコネクタを取り付け）、調光装置の遮光率（光透過率）を制御するための制御回路（調光装置・制御回路であり、例えば、画像形成装置を制御するための制御装置１６に含まれている）にこのコネクタ及び配線を介して調光装置を電気的に接続すればよい。調光装置を湾曲させてもよい。【００９６】
調光装置を備えた本開示の表示装置等において、表示装置の置かれた環境の照度を測定する照度センサ（環境照度測定センサ）を更に備えており；照度センサ（環境照度測定センサ）の測定結果に基づき、調光装置の遮光率を制御する形態とすることができる。あるいは又、表示装置の置かれた環境の照度を測定する照度センサ（環境照度測定センサ）を更に備えており；照度センサ（環境照度測定センサ）の測定結果に基づき、画像形成装置によって形成される画像の輝度を制御する形態とすることができる。これらの形態を組み合わせてもよい。【００９７】
あるいは又、調光装置を備えた本開示の表示装置等において、外部環境から調光装置を透過した光に基づく照度を測定する第２の照度センサ（便宜上、『透過光照度測定センサ』と呼ぶ場合がある）を更に備えており；第２の照度センサ（透過光照度測定センサ）の測定結果に基づき、調光装置の遮光率を制御する形態とすることができる。あるいは又、外部環境から調光装置を透過した光に基づく照度を測定する第２の照度センサ（透過光照度測定センサ）を更に備えており；第２の照度センサ（透過光照度測定センサ）の測定結果に基づき、画像形成装置によって形成される画像の輝度を制御する形態とすることができる。第２の照度センサ（透過光照度測定センサ）は、光学装置よりも観察者側に配置されている形態とすることが望ましい。第２の照度センサ（透過光照度測定センサ）を、少なくとも２つ、配置し、高遮光率の部分を通過した光に基づく照度の測定、低遮光率の部分を通過した光に基づく照度の測定を行ってもよい。これらの形態を組み合わせてもよい。更には、これらの形態と、上記の照度センサ（環境照度測定センサ）の測定結果に基づき制御を行う形態とを組み合わせてもよい。【００９８】
照度センサ（環境照度測定センサ、透過光照度測定センサ）は、周知の照度センサから構成すればよいし、照度センサの制御は周知の制御回路に基づき行えばよい。【００９９】
調光装置の最高光透過率は５０％以上であり、調光装置の最低光透過率は３０％以下である構成とすることができる。調光装置の最高光透過率の上限値として９９％を挙げることができるし、調光装置の最低光透過率の下限値として１％を挙げることができる。ここで、
（光透過率）＝１００（％）−（遮光率）
の関係にある。【０１００】
場合によっては、前述したとおり、調光装置を通過する光は、調光装置によって所望の色に着色される構成とすることができる。そして、この場合、調光装置によって着色される色は可変である形態とすることができるし、あるいは又、調光装置によって着色される色は固定である形態とすることができる。前者の場合、例えば、赤色に着色される調光装置と、緑色に着色される調光装置と、青色に着色される調光装置とを積層する形態とすればよい。また、後者の場合、調光装置によって着色される色として、限定するものではないが、茶色を例示することができる。【０１０１】
観察者が、調光装置及び光学装置を通過した光の明るさを観察し、観察者が、スイッチやボタン、ダイアル、スライダ、ノブ等を操作することで手動にて遮光率を制御、調整することができるし、あるいは又、前述した外部環境から調光装置を透過した光に基づく照度を測定する第２の照度センサ（透過光照度測定センサ）の測定結果に基づき、遮光率を制御、調整することができる。尚、遮光率の制御、調整は、具体的には、第１透明電極及び第２透明電極に印加する電圧を制御すればよい。第２の照度センサ（透過光照度測定センサ）を、少なくとも２つ、配置し、高遮光率の部分を通過した光に基づく照度の測定、低遮光率の部分を通過した光に基づく照度の測定を行ってもよい。表示装置は、画像表示装置を１つ備えていてもよいし、２つ備えていてもよい。画像表示装置を２つ備えている場合、一方の調光装置と他方の調光装置のそれぞれにおいて、第１透明電極及び第２透明電極に印加する電圧を調整することで、一方の調光装置における遮光率及び他方の調光装置における遮光率の均等化を図ることができる。一方の調光装置における遮光率及び他方の調光装置における遮光率は、例えば、前述した外部環境から調光装置を透過した光に基づく照度を測定する第２の照度センサ（透過光照度測定センサ）の測定結果に基づき、制御することができるし、あるいは又、観察者が、一方の調光装置及び光学装置を通過した光の明るさ及び他方の調光装置及び光学装置を通過した光の明るさを観察し、観察者が、スイッチやボタン、ダイアル、スライダ、ノブ等を操作することで手動にて制御、調整することもできる。遮光率の調整を行う場合、光学装置にテストパターンを表示してもよい。【０１０２】
調光装置８０は、図１３Ａに模式的な断面図を示すように、
第１基板８１、
第１基板８１と対向して配設され、外光が入光する第２基板８２、
第１基板８１と第２基板８２との間に設けられた発光積層体、
を備えており、
発光積層体は、第１基板側から、第１透明電極８３、調光層９０及び第２透明電極８４が積層されて成り、
調光層９０は、還元着色層９１、電解質層９２及び酸化着色層９３の積層構造を有する。【０１０３】
実施例６において、調光装置８０は、エレクトロクロミック材料の酸化還元反応によって発生する物質の色変化を応用した光シャッタから成る。具体的には、調光層９０はエレクトロクロミック材料を含む。即ち、調光装置８０を構成する調光層９０は、エレクトロクロミック材料層を備えている。具体的には、調光層（エレクトロクロミック材料層）９０は、還元着色層９１、電解質層９２及び酸化着色層９３の積層構造を有する。より具体的には、第１透明電極８３及び第２透明電極８４は、ＩＴＯあるいはＩＺＯといった透明導電材料から成り、還元着色層９１は酸化タングステン（ＷＯ3）から成り、電解質層９２は酸化タンタル（Ｔａ2Ｏ5）から成り、酸化着色層９３はイリジウム原子を含む。イリジウム原子を含む酸化着色層９３を構成する材料として、酸化イリジウム（ＩｒＯx）系材料、具体的には、実施例６においては、酸化イリジウム錫（ＩｒyＳｎ1-yＯx）を用いた。ここで、ｙ＝０．５である。ＷＯ3層は還元発色する。ＩｒyＳｎ1-yＯx層は酸化発色する。Ｔａ2Ｏ5層は固体電解質を構成する。【０１０４】
ＩｒyＳｎ1-yＯ層中では、ＩｒとＨ2Ｏとが反応して、水酸化イリジウムＩｒ（ＯＨ）nとして存在する。第１透明電極８３に負の電位を、第２透明電極８４に正の電位を加えると、ＩｒyＳｎ1-yＯ層からＴａ2Ｏ5層へのプロトンＨ+の移動、第２透明電極８４への電子放出が生じ、次の酸化反応が進んで、ＩｒyＳｎ1-yＯ層は着色する。
Ｉｒ（ＯＨ）n  →  ＩｒＯX（ＯＨ）n-X（着色）  ＋  Ｘ・Ｈ+  ＋  Ｘ・ｅ-【０１０５】
一方、Ｔａ2Ｏ5層中のプロトンＨ+がＷＯ3層中へ移動し、第１透明電極８３から電子がＷＯ3層に注入され、ＷＯ3層では、次の還元反応が進んでＷＯ3層は着色する。
ＷＯ3  ＋  Ｘ・Ｈ+  ＋  Ｘ・ｅ-  →  ＨXＷＯ3（着色）【０１０６】
これとは逆に、第１透明電極８３に正の電位を、第２透明電極８４に負の電位を加えると、ＩｒyＳｎ1-yＯ層では、上記と逆向きに還元反応が進み、消色し、ＷＯ3層では、上記と逆向きに酸化反応が進み、消色する。Ｔａ2Ｏ5層にはＨ2Ｏが含まれており、第１透明電極８３、第２透明電極８４に電圧を印加することで電離し、プロトンＨ+、ＯＨ-イオンの状態が含まれ、着色反応及び消色反応に寄与している。【０１０７】
第１基板８１及び第２基板８２はプラスチック材料から成る。具体的には、第１基板８１及び第２基板８２は、例えば、厚さ０．３ｍｍのポリカーボネート樹脂から成る。第２基板８２の外面には、アクリル変性コロイダルシリカ粒子とフェニルケトン系及びアクリレート系の有機物及びメチルエチルケトンから成るハードコート層（図示せず）が形成されている。【０１０８】
実施例６において、光学装置４０は、一種の光シャッタである調光装置８０の少なくとも一部分と重なっている。具体的には、光学装置４０は、調光装置８０と重なっている。即ち、導光板４１，４１’と第１基板８１及び第２基板８２とは、同形（あるいは、略同形）の外形形状を有する。調光装置８０は、導光板４１，４１’の大部分と重なっている。但し、これに限定するものではなく、光学装置４０は、調光装置８０の一部分と重なっていてもよいし、調光装置８０は、光学装置４０の一部分と重なっていてもよい。また、観察者側から、光学装置４０、調光装置８０の順に配されているが、調光装置８０、光学装置４０の順に配してもよい。【０１０９】
また、少なくとも第２透明電極８４と第２基板８２との間には水分保持部材８５が配設されている。そして、水分保持部材８５の端面は外部に露出している。調光装置８０の端部（側面）の少なくとも一部は、第１基板側から、封止部材８７及び水分保持部材８５から構成されている。即ち、調光装置８０の端部の少なくとも一部は、第１基板側から、封止部材８７、及び、水分保持部材８５から延在する水分保持部材延在部８６の積層構造から構成されている。封止部材８７は、例えば、第１基板８１の縁部に設けられている。【０１１０】
そして、第２透明電極８４は、調光層９０上から第１基板８１上に亙り、且つ、第１透明電極８３と離間して形成されており、水分保持部材８５は、少なくとも第２透明電極８４及び調光層９０を覆っている。即ち、第１透明電極８３は第１基板８１上に形成されており、調光層９０は第１透明電極８３上に形成されており、第２透明電極８４は少なくとも調光層９０上に形成されており、水分保持部材８５は、少なくとも第２透明電極８４を覆い、第２基板８２と対向している。封止部材８７と第２基板との間には、水分保持部材８５から延在する水分保持部材延在部８６が配設されている。更には、封止部材８７の一部は銅（Ｃｕ）から成る補助電極（図示せず）から構成されている。また、封止部材８７の残部は、樹脂、具体的には、アクリル系接着剤から成る。補助電極は、第１透明電極８３上に形成された第１補助電極、及び、第２透明電極８４上に第１補助電極と離間して形成された第２補助電極から構成されている。封止部材８７及び水分保持部材延在部８６によって、調光装置８０の側壁が構成される。また、封止部材８７は、隙間無く設けられている。【０１１１】
プロトン供給部材、水分を保持し得る透明粘着部材、あるいは、水分を保持し得る透明封止部材と呼ぶこともできる水分保持部材８５及び水分保持部材延在部８６を構成する樹脂は、アクリル系樹脂、シリコーン系樹脂又はウレタン系樹脂から、適宜、選択すればよく、実施例６にあっては、具体的には、アクリル系樹脂から構成されている。【０１１２】
ヤング率が１×１０6Ｐａ以下である材料から水分保持部材８５及び水分保持部材延在部８６を構成することで、調光装置の内部において生じた各種の段差を吸収することができるし、調光装置中央部における水分保持部材８５の厚さのバラツキ、水分保持部材延在部８６の厚さのバラツキを小さくすることができる。即ち、第１基板と第２基板との間の距離全体の均一化を図ることができる。そして、その結果、視認性の劣化発生を防ぐことができる。具体的には、調光装置８０を通して外界を見たとき、外界の像に歪みが生じたり、外界の像にズレが生じることを抑制することができる。【０１１３】
ＩＴＯから成る第１透明電極８３及び第２透明電極８４は、パターニングされておらず、所謂ベタ電極である。調光装置８０の補助電極の一部にコネクタ（図示せず）が取り付けられており、第１透明電極８３及び第２透明電極８４は、調光装置８０の遮光率を制御するための制御回路（具体的には、制御装置１６）に電気的に接続されている。【０１１４】
エレクトロクロミック素子内部において水分が無くなってしまうとエレクトロクロミック素子に色変化が生じなくなるといった現象が発生する。然るに、実施例６の調光装置にあっては、水分保持部材延在部の端面（調光装置の側壁）を介して水分の出入りが生じるので、調光装置あるいは画像表示装置、表示装置の信頼性が低下するといった問題の発生を回避することができる。しかも、補助電極が設けられているので、第１透明電極及び第２透明電極へ適切な電圧を容易に印加することができるし、第１透明電極あるいは第２透明電極における電圧降下の発生を抑制することができる結果、調光装置の着色時のムラ発生を低減することができる。【０１１５】
調光装置８０は、常時、動作状態にあってもよいし、観察者の指示（操作）によって動作／不動作（オン／オフ）状態が規定されてもよいし、通常は不動作状態にあり、画像表示装置２０において画像を表示するための信号に基づき、動作を開始してもよい。観察者の指示（操作）によって動作／不動作状態を規定するためには、例えば、表示装置はマイクロフォンを更に備えており、マイクロフォンを介した音声入力によって、調光装置８０の動作の制御を行えばよい。具体的には、観察者の肉声に基づく指示によって、調光装置８０の動作／不動作の切替えを制御すればよい。あるいは又、入手すべき情報を音声入力によって入力してもよい。あるいは又、表示装置は、赤外線入出射装置を更に備えており、赤外線入出射装置によって、調光装置８０の動作の制御を行えばよい。具体的には、赤外線入出射装置によって、観察者の瞬きを検出することで、調光装置８０の動作／不動作の切替えを制御すればよい。【０１１６】
実施例６の表示装置には調光装置が備えられているので、観察者が観察する虚像に高いコントラストを与えることができ、しかも、表示装置を使用する観察者は、光学装置を通して、外部環境を確実に認識することができる。【０１１７】
場合によっては、第１透明電極及び／又は第２透明電極を、複数のブロックに分割し、各ブロックにおける遮光率を制御することで、調光装置の領域毎の遮光率を制御する形態を採用してもよい。あるいは又、第１透明電極あるいは第２透明電極を帯状の電極あるいはメッシュ状の電極とすることで、若しくは、第１透明電極あるいは第２透明電極の上に帯状の補助電極あるいはメッシュ状の補助電極を形成することで、調光装置の複数の領域における遮光率を独立して制御することができる。場合によっては、調光装置を、例えば、アクティブマトリクス方式や単純マトリクス方式に基づき駆動される液晶表示装置から構成し、調光装置の遮光率を制御してもよい。【０１１８】
調光装置８０における遮光率の制御は、例えば、単純マトリクス方式に基づき行うことができる。即ち、調光装置８０の変形例の模式的な平面図を図１３Ｂに示すように、
第１透明電極８３は、第１の方向に延びる複数の帯状の第１透明電極セグメント８３Ａから構成されており、
第２透明電極８４は、第１の方向とは異なる第２の方向に延びる複数の帯状の第２透明電極セグメント８４Ａから構成されており、
第１透明電極セグメント８３Ａと第２透明電極セグメント８４Ａの重複領域（調光装置の遮光率が変化する最小単位領域）に対応する調光装置の部分の遮光率の制御は、第１透明電極セグメント８３Ａ及び第２透明電極セグメント８４Ａに印加する電圧の制御に基づき行われる。第１の方向と第２の方向とは直交しており、具体的には、第１の方向は横方向（Ｘ方向）に延び、第２の方向は縦方向（Ｙ方向）に延びる。このような構成にあっては、補助電極は不要である。【０１１９】
あるいは又、調光装置８０’の別の変型例の模式的な断面図を図１４Ａに示し、模式的な正面図を図１４Ｂに示す。この調光装置８０’において、第１基板８１、第２基板８２、発光積層体（第１透明電極８３、調光層９０及び第２透明電極８４）、調光層９０（還元着色層９１、電解質層９２及び酸化着色層９３）、封止部材８７の構成、構造は、上述した実施例６の調光装置８０と同様の構成、構造を有する。図１４Ａに示した調光装置８０’の模式的な断面図においては、図１３Ａでは図示を省略した第１補助電極及び第２補助電極を、参照番号８８及び参照番号８９で示している。また、図１４Ａに示した調光装置８０’の模式的な断面図においては、図１３Ａでは図示を省略したバリア層（例えば、無機材料、具体的には、アルミナから成る）を、参照番号８１’及び参照番号８２’で示している。更には、第２透明電極８４とバリア層８２’の間には、ＳｉＮ層、ＳｉＯ2層、Ａｌ2Ｏ3層、ＴｉＯ2層あるいはこれらの積層膜から成る保護層８５’が形成されている。保護層８５’を形成することで、イオンの行き来を阻止するイオン遮断性、防水性、防湿性及び耐傷性を調光装置に付与することができる。【０１２０】
光学装置４０は、調光装置８０’と重なっている。即ち、導光板４１，４１’と第１基板８１及び第２基板８２とは、同形（あるいは、略同形）の外形形状を有する。ＩＴＯから成る第１透明電極８３及び第２透明電極８４は、パターニングされておらず、所謂ベタ電極である。調光装置８０’の補助電極８８，８９の一部にコネクタ（図示せず）が取り付けられており、第１透明電極８３及び第２透明電極８４は、調光装置８０’の遮光率を制御するための制御回路（具体的には、制御装置１６）に電気的に接続されている。【０１２１】
以上、本開示を好ましい実施例に基づき説明したが、本開示はこれらの実施例に限定するものではない。実施例において説明した表示装置（頭部装着型ディスプレイ）、画像表示装置、光学装置の構成、構造は例示であり、適宜変更することができる。実施例においては、導光板を構成する基板を樹脂材料から構成したが、代替的に、精密品質に比べて基板の表面研磨工程を簡略化したガラス基板、具体的には、標準品質の５ｎｍ程度のＲｑを有するガラス基板（光学ガラス基板）を用いることもできる。このように表面研磨工程を簡略化することで、コントラスト及び解像度が従来と同等程度に高い光学装置、及び、斯かる光学装置を備えた表示装置を安価に提供することができる。【０１２２】
また、例えば、導光板に表面レリーフ型ホログラム（ＵＳ２００４／００６２５０５Ａ１参照）を配置してもよいし、回折格子部材として、ＵＳ９，５１３，４８０Ｂ２（ＵＳ２０１６／０２３１５６８Ａ１）に開示された表面レリーフ型回折格子部材を用いることもできる。第１偏向手段及び第２偏向手段の内のいずれか一方を反射型回折格子部材から構成し、他方を透過型回折格子部材から構成する形態とすることもできる。あるいは又、回折格子部材を、反射型ブレーズド回折格子部材とすることもできるし、特開２０１４−１３２３２８号公報に開示された高分子分散液晶（ＰＤＬＣ）混合体からホログラム回折格子部材を構成することもできる。【０１２３】
また、本開示の表示装置は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。【０１２４】
実施例においては、画像形成装置は、単色（例えば、緑色）の画像を表示するとして説明したが、画像形成装置はカラー画像を表示することもでき、この場合、光源を、例えば、赤色、緑色、青色のそれぞれを出射する光源から構成すればよい。より具体的には、例えば、赤色発光素子、緑色発光素子、青色発光素子のそれぞれから出射された赤色光、緑色光及び青色光をライトパイプを用いて混色、輝度均一化を行うことで白色光を得ればよい。【０１２５】
実施例３あるいは実施例４に示した光学装置の変形例を図１５及び図１６に示すが、第２偏向手段４３と対向して光学装置４０に光学部材４６を配設してもよい。画像形成装置３０からの光は、第１偏向手段４２において偏向され（あるいは反射され）、導光板４１の内部を全反射により伝播し、第２偏向手段４３において偏向され、光学部材４６に入射し、光学部材４６は、入射した光を観察者５０の瞳５１に向けて出射する。第２偏向手段４３を通過する際の光の相当の部分は、第２偏向手段４３における回折条件を満たしていないので、第２偏向手段４３において回折反射されることなく、観察者５０の瞳５１に入射する。光学部材４６は、例えば、ホログラムレンズから成り、例えば、導光板４１の第１面側に配置されている。第２偏向手段４３は、導光板４１の第１面側に配置されており（図１５参照）、あるいは又、第２面側（図１６参照）に配置されている。【０１２６】
実施例３あるいは実施例４において説明した光学装置を、以下に説明するように、変形することも可能である。即ち、図１７に光学装置の概念図を示すように、第１の反射型体積ホログラム回折格子部材４７、第２の反射型体積ホログラム回折格子部材４８及び第３の反射型体積ホログラム回折格子部材４９を備えていてもよい。第１の反射型体積ホログラム回折格子部材４７にあっては、回折格子部材の干渉縞は、概ねＹ軸（ｙ軸）と平行に延びる。第２の反射型体積ホログラム回折格子部材４８にあっては、回折格子部材の干渉縞は、概ねＸ軸（ｘ軸）と平行に延びる。第３の反射型体積ホログラム回折格子部材４９にあっては、回折格子部材の干渉縞は、斜めの方向（ｙ’方向）に延びる。画像形成装置３０から出射された光線は、第１の反射型体積ホログラム回折格子部材４７によって、Ｘ軸方向に回折され、導光板４１を伝播し、第３の反射型体積ホログラム回折格子部材４９に入射する。そして、第３の反射型体積ホログラム回折格子部材４９によって斜め下方に回折され、第２の反射型体積ホログラム回折格子部材４８に入射する。そして、第２の反射型体積ホログラム回折格子部材４８によってＺ軸方向に回折され、観察者５０の瞳５１に入射する。入射点と出射点を結ぶ線分は、２本の線分Ｌ0-A，Ｌ0-Bから構成されている。導光領域は、
［Ａ］第１の反射型体積ホログラム回折格子部材４７の図１７における右端と、第３の反射型体積ホログラム回折格子部材４９の図１７における左端とによって挟まれた領域に対向する導光板４１の領域
及び、
［Ｂ］第３の反射型体積ホログラム回折格子部材４９の図１７における下端と、第２の反射型体積ホログラム回折格子部材４８の図１７における上端とによって挟まれた領域に対向する導光板４１の領域
の２つの領域から構成される。また、全導光領域は、上記の２つの導光板４１の領域、並びに、
［Ｃ］第１の反射型体積ホログラム回折格子部材４７に対向する導光板４１の領域
［Ｄ］第３の反射型体積ホログラム回折格子部材４９に対向する導光板４１の領域
及び、
［Ｅ］第２の反射型体積ホログラム回折格子部材４８に対向する導光板４１の領域
から構成される。【０１２７】
あるいは又、実施例３〜実施例４において説明した光学装置を、以下に説明するように、変形することも可能である。即ち、図１８Ａに概念図を示すように、光入射側のホログラム回折格子部材を反射型回折格子部材４２Ａ及び透過型回折格子部材４２Ｂから構成し、光出射側のホログラム回折格子部材を反射型回折格子部材４３Ａから構成することができる。あるいは又、図１８Ｂに概念図を示すように、光入射側のホログラム回折格子部材を反射型回折格子部材４２Ａ及び透過型回折格子部材４２Ｂから構成し、光出射側のホログラム回折格子部材を透過型回折格子部材４３Ｂから構成することができる。あるいは又、図１８Ｃに概念図を示すように、光入射側のホログラム回折格子部材を反射型回折格子部材４２Ａから構成し、光出射側のホログラム回折格子部材を反射型回折格子部材４３Ａ及び透過型回折格子部材４３Ｂから構成することができる。あるいは又、図１８Ｄに概念図を示すように、光入射側のホログラム回折格子部材を透過型回折格子部材４２Ｂから構成し、光出射側のホログラム回折格子部材を反射型回折格子部材４３Ａ及び透過型回折格子部材４３Ｂから構成することができる。あるいは又、図１８Ｅに概念図を示すように、光入射側のホログラム回折格子部材を反射型回折格子部材４２Ａ及び透過型回折格子部材４２Ｂから構成し、光出射側のホログラム回折格子部材を反射型回折格子部材４３Ａ及び透過型回折格子部材４３Ｂから構成することができる。あるいは又、図１８Ｆに概念図を示すように、光入射側のホログラム回折格子部材を透過型回折格子部材４２Ｂから構成し、光出射側のホログラム回折格子部材を透過型回折格子部材４３Ｂから構成することができる。【０１２８】
尚、本開示は、以下のような構成を取ることもできる。
［Ａ０１］《表示装置：第１の態様》
観察者の正面に配置されるフロント部、フロント部の両端から延びるテンプル部、及び、パッド部を備え、観察者の頭部に装着されるフレーム、並びに、
フレームに取り付けられた画像表示装置、
を備えた表示装置であって、
画像表示装置は、
画像形成装置、及び、
画像形成装置から出射された光が入射され、観察者に向かって出射する光学装置、
を備えており、
光学装置の一端部は、フロント部のテンプル部側に固定されており、
光学装置の他端部は、フロント部のパッド部側に配置されており、
光学装置の他端部の上方から光学装置の他端部への外光の入射を防ぐ遮光部材が、フロント部のパッド部側に取り付けられている表示装置。
［Ａ０２］光学装置の他端部は、観察者と対向する遮光部材の対向面の上を自在に滑動する［Ａ０１］に記載の表示装置。
［Ａ０３］光学装置の一端部は、フロント部のテンプル部側に配設された画像形成装置に取り付けられている［Ａ０１］又は［Ａ０２］に記載の表示装置。
［Ａ０４］光学装置は、
画像形成装置から入射された光が内部を全反射により伝播した後、観察者に向けて出射される導光板、
導光板に入射された光が導光板の内部で全反射されるように、導光板に入射された光を偏向させる第１偏向手段、及び、
導光板の内部を全反射により伝播した光を導光板から出射させるために、導光板の内部を全反射により伝播した光を偏向させる第２偏向手段、
を備えている［Ａ０１］乃至［Ａ０３］のいずれか１項に記載の表示装置。
［Ａ０５］画像形成装置は、フロント部のテンプル部側に取り付けられている［Ａ０１］乃至［Ａ０４］のいずれか１項に記載の表示装置。
［Ａ０６］光学装置は、更に、外部から入射する外光の光量を調整する調光装置を備えている［Ａ０１］乃至［Ａ０５］のいずれか１項に記載の表示装置。
［Ｂ０１］《表示装置：第２の態様》
観察者の正面に配置されるフロント部、フロント部の両端から延びるテンプル部、及び、パッド部を備え、観察者の頭部に装着されるフレーム、並びに、
フレームに取り付けられた画像表示装置、
を備えた表示装置であって、
画像表示装置は、
画像形成装置、及び、
画像形成装置から出射された光が入射され、観察者に向かって出射する光学装置、
を備えており、
光学装置の一端部は、フロント部のテンプル部側に固定されており、
光学装置の他端部は、フロント部のパッド部側に配置され、フロント部において自在に滑動する表示装置。
［Ｂ０２］フロント部のパッド部側には、光学装置受け部材が取り付けられており、
光学装置の他端部は、光学装置受け部材の上を自在に滑動する［Ｂ０１］に記載の表示装置。
［Ｂ０３］光学装置受け部材は、仮想水平面で切断したときの断面形状がＬ字の部材から成り、
Ｌ字の縦棒の部分に相当する光学装置受け部材の第１の部分は、観察者と対向して垂直方向に延びており、
観察者から遠い方の光学装置受け部材の第１の部分の端部から延びるＬ字の横棒の部分に相当する光学装置受け部材の第２の部分は、フロント部のテンプル部側に向かって延びており、
光学装置の他端部は、光学装置受け部材の第２の部分の観察者と対向する対向面の上を自在に滑動する［Ｂ０２］に記載の表示装置。
［Ｂ０４］光学装置の一端部は、フロント部のテンプル部側に配設された画像形成装置に取り付けられている［Ｂ０１］乃至［Ｂ０３］のいずれか１項に記載の表示装置。
［Ｂ０５］光学装置は、
画像形成装置から入射された光が内部を全反射により伝播した後、観察者に向けて出射される導光板、
導光板に入射された光が導光板の内部で全反射されるように、導光板に入射された光を偏向させる第１偏向手段、及び、
導光板の内部を全反射により伝播した光を導光板から出射させるために、導光板の内部を全反射により伝播した光を偏向させる第２偏向手段、
を備えている［Ｂ０１］乃至［Ｂ０４］のいずれか１項に記載の表示装置。
［Ｂ０６］画像形成装置は、フロント部のテンプル部側に取り付けられている［Ｂ０１］乃至［Ｂ０５］のいずれか１項に記載の表示装置。
［Ｂ０７］光学装置は、更に、外部から入射する外光の光量を調整する調光装置を備えている［Ｂ０１］乃至［Ｂ０６］のいずれか１項に記載の表示装置。
【符号の説明】
【０１２９】
１Ａ，１Ｂ・・・表示装置、１０・・・フレーム、１１・・・フロント部、１２・・・テンプル部、１３・・・モダン部（先セル、耳あて、イヤーパッド）、１４・・・配線（信号線や電源線等）、１５・・・ヘッドホン部、１５’・・・ヘッドホン部用配線、１６・・・制御装置（制御回路、制御手段）、１７・・・パッド部（ノーズパッド部）、２０・・・画像表示装置、３０・・・画像形成装置、３０・・・画像形成装置、３０’・・・筐体、３１Ａ・・・筐体、３１Ｂ・・・有機ＥＬ表示装置、３１Ｃ・・・第１の凸レンズ、３１Ｄ・・・絞り、３１Ｅ・・・第２の凸レンズ、３２Ａ・・・筐体、３２Ｂ・・・光源、３２Ｃ・・・偏光ビームスプリッター、３２Ｄ・・・液晶表示装置（ＬＣＤ）、３２Ｅ・・・光学系（平行光出射光学系、コリメート光学系）、３３Ａ・・・筐体、３３Ｂ・・・光源、３３Ｃ・・・走査手段、３３Ｄ・・・レンズ系、４０・・・光学装置、４０Ａ・・・光学装置の一端部、４０Ｂ・・・光学装置の他端部、４１，４１’・・・導光板、４１Ａ・・・導光板の第１面、４１Ｂ・・・導光板の第２面、４２，４２’，４２Ａ，４２Ｂ，４２Ｃ・・・第１偏向手段（第１回折格子部材）、４３，４３’，４３Ａ，４３Ｂ，４３Ｃ・・・第２偏向手段（第２回折格子部材）、４４・・・導光板の第１偏向手段を設ける部分、４５・・・導光板の第２偏向手段を設ける部分、４６・・・光学部材、５０・・・観察者、５１・・・眼球（瞳）、６０・・・遮光部材、６０Ａ・・・観察者と対向する遮光部材の対向面、７０・・・光学装置受け部材、７１・・・光学装置受け部材の第２の部分の観察者と対向する対向面、７２・・・光学装置受け部材の第１の部分、７２’・・・光学装置受け部材の第１の部分の端部、７３・・・光学装置受け部材の第２の部分、８０，８０’・・・調光装置、８１・・・第１基板、８２・・・第２基板、８１’，８２’・・・バリア層、８３・・・第１透明電極、８４・・・第２透明電極、８５・・・水分保持部材、８５’・・・保護層、８６・・・水分保持部材延在部、８７・・・封止部材、８８・・・第１補助電極、８９・・・第２補助電極、９０・・・調光層、９１・・・還元着色層、９２・・・電解質層、９３・・・酸化着色層
【図１】
2019220931.tif 000003
【図２】
2019220931.tif 000004
【図３】
2019220931.tif 000005
【図４】
2019220931.tif 000006
【図５】
2019220931.tif 000007
【図６】
2019220931.tif 000008
【図７】
2019220931.tif 000009
【図８】
2019220931.tif 000010
【図９】
2019220931.tif 000011
【図１０】
2019220931.tif 000012
【図１１】
2019220931.tif 000013
【図１２】
2019220931.tif 000014
【図１３】
2019220931.tif 000015
【図１４】
2019220931.tif 000016
【図１５】
2019220931.tif 000017
【図１６】
2019220931.tif 000018
【図１７】
2019220931.tif 000019
【図１８】
2019220931.tif 000020
【国際調査報告】
2019220931.tif 000021
2019220931.tif 000022
2019220931.tif 000023